(57)【要約】【課題】静電容量の初期値を接触による容量の変化分に適した値の範囲に含まれやすくすることのできるタッチセンサ用電極、タッチパネル、および、表示装置を提供する。【解決手段】タッチセンサ用電極は、１つのパッド３１Ｐと１つの第１線群とから構成されるドライブ電極３１ＤＰが、第１配列方向Ｄ１に沿って間隔を空けて並ぶ第１電極層と、１つのパッド３３Ｐと１つの第２線群とから構成されるセンシング電極３３ＳＰが、第２配列方向Ｄ２に沿って間隔を空けて並ぶ第２電極層と、第１電極層と第２電極層との間に位置する透明誘電体基板とを備える。透明誘電体基板と対向する平面視において、１つの第１線群と１つの第２線群との立体的に交差する領域が１つのセル２１Ｃであり、第１線群は、パッド３１Ｐに接続しないドライブ非接続線４２と、パッド３１Ｐに接続するドライブ電極線４１とを最近接セル２１Ｃｄに含む。【選択図】図５
2015191406.tif 000002
【特許請求の範囲】
【請求項１】
１つの方向である第１配列方向に沿って間隔を空けて並ぶ複数の第１パッドと、複数の第１電極線から構成される前記第１パッドごとの第１線群とを備え、前記第１電極線が前記第１パッドに向けて延びる形状を有し、１つの前記第１パッドと１つの前記第１線群とから構成される第１帯状電極が、前記第１配列方向に沿って間隔を空けて並ぶ第１電極層と、
前記第１配列方向と直交する第２配列方向に沿って間隔を空けて並ぶ複数の第２パッドと、複数の第２電極線から構成される前記第２パッドごとの第２線群とを備え、前記第２電極線が前記第２パッドに向けて延びる形状を有し、１つの前記第２パッドと１つの前記第２線群とから構成される第２帯状電極が、前記第２配列方向に沿って間隔を空けて並ぶ第２電極層と、
前記第１電極層と前記第２電極層との間に位置する透明誘電体基板と、を備え、
前記透明誘電体基板と対向する平面視において、１つの前記第１線群と１つの前記第２線群との立体的に交差する領域が１つのセルであり、前記セルが、複数の前記第１帯状電極の各々において前記第２配列方向に沿って並び、かつ、複数の前記第２帯状電極の各々において前記第１配列方向に沿って並び、
前記第１帯状電極ごとに前記第１パッドに最も近接する前記セルが第１最近接セルであり、前記第１線群は、前記第１パッドに接続しない第１非接続線と、前記第１パッドに接続する第１接続線とを前記第１最近接セルに含む、
タッチセンサ用電極。
【請求項２】
前記複数のセルのうち、前記第２帯状電極ごとに前記第２パッドに最も近接するセルが第２最近接セルであり、前記第２線群は、前記第２パッドに接続しない第２非接続線と、前記第２パッドに接続している第２接続線とを前記第２最近接セルに含む、
請求項１に記載のタッチセンサ用電極。
【請求項３】
前記第１帯状電極の各々は、
前記第１パッドと、前記第１非接続線の２つの端部のうちで前記第１パッドに近い端部との間、および、前記第１最近接セルの内部の少なくとも一方に、第１間隙部を有する、
請求項１または２に記載のタッチセンサ用電極。
【請求項４】
前記第２帯状電極の各々は、
前記第２パッドと、前記第２非接続線の２つの端部のうちで前記第２パッドに近い端部との間、および、前記第２最近接セルの内部の少なくとも一方に、第２間隙部を有する
請求項２に記載のタッチセンサ用電極。
【請求項５】
前記第１帯状電極の各々は、
前記第１パッドと、前記第１非接続線の前記第１パッドに近い端部との間に前記第１間隙部を有し、
前記第１間隙部が、前記第１配列方向において規則的に位置している、
請求項３に記載のタッチセンサ用電極。
【請求項６】
前記第２帯状電極の各々は、
前記第２パッドと、前記第２非接続線の前記第２パッドに近い端部との間に前記第２間隙部を有し、
前記第２間隙部が、前記第２配列方向において規則的に位置している、
請求項４に記載のタッチセンサ用電極。
【請求項７】
前記第１帯状電極の各々における前記第１電極線の数と、前記第２帯状電極の各々における前記第２電極線の数とが相互に等しく、
複数の前記セルの各々では、前記第１帯状電極が含む前記第１非接続線の数と、前記第２帯状電極が含む前記第２非接続線の数とが相互に等しい、
請求項２に記載のタッチセンサ用電極。
【請求項８】
前記第１帯状電極の各々における前記第１電極線の数と、前記第２帯状電極の各々における前記第２電極線の数とが相互に等しく、
複数の前記セルの各々では、前記第１帯状電極が含む前記第１非接続線の数と、前記第２帯状電極が含む前記第２非接続線の数とが相互に異なる、
請求項２に記載のタッチセンサ用電極。
【請求項９】
１つの方向である第１配列方向に沿って間隔を空けて並ぶ複数の第１パッドと、前記第１パッドと９０°よりも小さい対向角度を形成する複数の第１主電極線の群と、前記第１主電極線と直交して前記複数の第１主電極線間を繋ぐ複数の第１副電極線の群とから構成される第１帯状電極であって、前記第１配列方向に沿って間隔を空けて並ぶ複数の前記第１帯状電極を含む第１電極層と、
前記第１配列方向と直交する第２配列方向に沿って間隔を空けて並ぶ複数の第２パッドと、前記第２パッドと９０°よりも小さい対向角度を形成する複数の第２主電極線の群と、前記第２主電極線と直交して前記複数の第２主電極線間を繋ぐ複数の第２副電極線の群とから構成される第２帯状電極であって、前記第２配列方向に沿って間隔を空けて並ぶ複数の前記第２帯状電極を含む第２電極層と、
前記第１電極層と前記第２電極層との間に位置する透明誘電体基板と、を備え、
前記透明誘電体基板と対向する平面視において、１つの前記第１主電極線の群と、１つの前記第２主電極線の群との立体的に交差する領域が１つのセルであり、前記セルが、複数の前記第１帯状電極の各々において前記第２配列方向に沿って並び、かつ、複数の前記第２帯状電極の各々において前記第１配列方向に沿って並び、
前記複数のセルの各々に含まれる前記第１主電極線の群の各々は、前記第１パッドに接続していない第１非接続線を含む
タッチセンサ用電極。
【請求項１０】
前記複数のセルの各々に含まれる前記第２主電極線の群の各々は、前記第２パッドに接続していない第２非接続線を含む
請求項９に記載のタッチセンサ用電極。
【請求項１１】
前記第１帯状電極の各々において、
複数の前記第１主電極線の少なくとも一部は、少なくとも２つの第１間隙部を有し、
複数の前記第１副電極線は、前記第２配列方向において所定の間隔を空けて位置し、
前記第１間隙部は、前記第２配列方向にて相互に隣り合う２つの前記第１副電極線に挟まれる領域に２つずつ位置している
請求項９または１０に記載のタッチセンサ用電極。
【請求項１２】
前記第２帯状電極の各々において、
複数の前記第２主電極線の少なくとも一部は、少なくとも２つの第２間隙部を有し、
複数の前記第２副電極線は、前記第１配列方向において所定の間隔を空けて位置し、
前記第２間隙部は、前記第１配列方向にて相互に隣り合う２つの前記第２副電極線に挟まれる領域に２つずつ位置している
請求項１０に記載のタッチセンサ用電極。
【請求項１３】
前記第１電極層は、
複数の前記第１帯状電極が位置する表面を有した第１基材を備え、
前記第２電極層は、
複数の前記第２帯状電極が位置する表面を有した第２基材を備え、
前記第１基材の表面に、前記第２基材の裏面が重なり、
前記透明誘電体基板は、前記第２基材である
請求項１から１２のいずれか一項に記載のタッチセンサ用電極。
【請求項１４】
前記透明誘電体基板は、１つの基板から構成されている
請求項１から１２のいずれか一項に記載のタッチセンサ用電極。
【請求項１５】
前記第１電極層は、
複数の前記第１帯状電極が位置する表面を有した第１基材を備え、
前記第２電極層は、
複数の前記第２帯状電極が位置する表面を有した第２基材を備え、
前記第１基材の裏面の上に、前記第２基材の裏面が重なり、
前記透明誘電体基板は、前記第１基材、および、前記第２基材を含む
請求項１から１２のいずれか一項に記載のタッチセンサ用電極。
【請求項１６】
複数の第１帯状電極と、複数の第２帯状電極と、前記第１帯状電極と前記第２帯状電極とに挟まれる透明誘電体基板と、を備えるタッチセンサ用電極と、
前記タッチセンサ用電極を覆うカバー層と、
前記第１帯状電極と前記第２帯状電極との間の静電容量を測定する周辺回路と、を備え、
前記タッチセンサ用電極は、請求項１から１５のいずれか一項に記載のタッチセンサ用電極である
タッチパネル。
【請求項１７】
情報を表示する表示パネルと、
タッチパネルを駆動する駆動回路と、
前記表示パネルの表示する前記情報を透過する前記タッチパネルと、を備え、
前記タッチパネルは、請求項１６に記載のタッチパネルである
表示装置。
【発明の詳細な説明】
【技術分野】
【０００１】
本開示の技術は、１つの方向に沿って並ぶ複数の電極を備えるタッチセンサ用電極、タッチセンサ用電極を備えるタッチパネル、および、表示装置に関する。
【背景技術】
【０００２】
表示装置の備えるタッチセンサは、タッチセンサ用電極の一例であるドライブ電極とセンシング電極とを備え、指などが表示装置の操作面に接触することをドライブ電極とセンシング電極との間の静電容量の変化として検出する。表示装置の表示パネルが形成する画像は、ドライブ電極とセンシング電極とを通して操作面に出力されるため、ドライブ電極とセンシング電極とは、例えば、相互に間隔を空けて並べられた多数の直線形状を有する電極線の集合によって構成されている。（例えば、特許文献１参照。）
【先行技術文献】
【特許文献】
【０００３】
【特許文献１】特開２０１２−７９２３８号公報
【発明の概要】
【発明が解決しようとする課題】
【０００４】
ところで、ドライブ電極とセンシング電極との間の静電容量は、タッチセンサ用電極に接続される周辺回路によって測定されている。電極間における静電容量の初期値が大きすぎると、操作面と指との接触による小さい容量の変化は、周辺回路における測定の誤差として取り扱われてしまう。反対に、電極間における静電容量の初期値が小さすぎると、周辺回路におけるノイズが、操作面と指との接触として取り扱われてしまう。そのため、電極間における静電容量の初期値は、接触による容量の変化分に適した至適範囲であることが必要である。
【０００５】
一方で、接触による容量の変化分に適した静電容量の初期値は、タッチセンサ用電極に接続する周辺回路の仕様ごとに異なることがある。そして、静電容量の至適範囲が変わる場合には、上述のタッチセンサ用電極において、電極線の幅や電極線の本数などの変更が強いられる。それゆえに、上述したタッチセンサ用電極には、相互に異なる静電容量の至適範囲に対して、構造上の変更を軽減できる構成が望まれている。
【０００６】
本開示の技術は、静電容量の初期値を接触による容量の変化分に適した値の範囲に含まれやすくすることのできるタッチセンサ用電極、タッチパネル、および、表示装置を提供することを目的とする。
【課題を解決するための手段】
【０００７】
本開示の技術におけるタッチセンサ用電極の一態様は、１つの方向である第１配列方向に沿って間隔を空けて並ぶ複数の第１パッドと、複数の第１電極線から構成される前記第１パッドごとの第１線群とを備え、前記第１電極線が前記第１パッドに向けて延びる形状を有し、１つの前記第１パッドと１つの前記第１線群とから構成される第１帯状電極が、前記第１配列方向に沿って間隔を空けて並ぶ第１電極層と、前記第１配列方向と直交する第２配列方向に沿って間隔を空けて並ぶ複数の第２パッドと、複数の第２電極線から構成される前記第２パッドごとの第２線群とを備え、前記第２電極線が前記第２パッドに向けて延びる形状を有し、１つの前記第２パッドと１つの前記第２線群とから構成される第２帯状電極が、前記第２配列方向に沿って間隔を空けて並ぶ第２電極層と、前記第１電極層と前記第２電極層との間に位置する透明誘電体基板と、を備える。前記透明誘電体基板と対向する平面視において、１つの前記第１線群と１つの前記第２線群との立体的に交差する領域が１つのセルであり、前記セルが、複数の前記第１帯状電極の各々において前記第２配列方向に沿って並び、かつ、複数の前記第２帯状電極の各々において前記第１配列方向に沿って並び、前記第１帯状電極ごとに前記第１パッドに最も近接する前記セルが第１最近接セルであり、前記第１線群は、前記第１パッドに接続しない第１非接続線と、前記第１パッドに接続する第１接続線とを前記第１最近接セルに含む。
【０００８】
本開示の技術におけるタッチパネルの一態様は、複数の第１帯状電極と、複数の第２帯状電極と、前記第１帯状電極と前記第２帯状電極とに挟まれる透明誘電体基板と、を備えるタッチセンサ用電極と、前記タッチセンサ用電極を覆うカバー層と、前記第１帯状電極と前記第２帯状電極との間の静電容量を測定する周辺回路と、を備える。前記タッチセンサ用電極は、上記タッチセンサ用電極である。
【０００９】
本開示の技術における表示装置の一態様は、情報を表示する表示パネルと、タッチパネルを駆動する駆動回路と、前記表示パネルの表示する前記情報を透過する前記タッチパネルと、を備え、前記タッチパネルは、上記タッチパネルである。
【００１０】
本開示の技術における上記態様によれば、第１最近接セルに含まれる第１線群が非接続線を含むため、第１電極線の全てが接続線である構成と比べて、第１帯状電極にて並ぶ複数のセルの各々における静電容量の初期値が小さくなる。そして、接続線の本数が増える分だけ非接続線の本数が減るような設計の変更や、接続線の本数が減る分だけ非接続線の本数が増えるような設計の変更によって、静電容量の初期値を至適な範囲に合わせることが可能である。それゆえに、相互に異なる静電容量の至適範囲に対して、電極線の幅や電極線の本数の変更を強いるような構造上の変更を軽減することができる。
【００１１】
本開示の技術におけるタッチセンサ用電極の他の態様において、前記複数のセルのうち、前記第２帯状電極ごとに前記第２パッドに最も近接するセルが第２最近接セルであり、前記第２線群は、前記第２パッドに接続しない第２非接続線と、前記第２パッドに接続している第２接続線とを前記第２最近接セルに含むことが好ましい。
【００１２】
本開示の技術におけるタッチセンサ用電極の他の態様によれば、第２最近接セルに含まれる第２電極線の群が第２非接続電極線を含むため、第２電極線の全てが第２接続電極線である構成と比べて、各第２帯状容量電極にて並ぶ複数のセルの各々における静電容量の初期値が小さくなる。そして、第２接続線の本数が増える分だけ第２非接続線の本数が減るような設計の変更や、第２接続線の本数が減る分だけ第２非接続線の本数が増えるような設計の変更によって、静電容量の初期値を至適な範囲に合わせることが可能である。それゆえに、相互に異なる静電容量の至適範囲に対して、電極線の幅や電極線の本数の変更を強いるような構造上の変更を軽減することができる。
【００１３】
本開示の技術におけるタッチセンサ用電極の他の態様において、前記第１帯状電極の各々は、前記第１パッドと、前記第１非接続線の２つの端部のうちで前記第１パッドに近い端部との間、および、前記第１最近接セルの内部の少なくとも一方に、第１間隙部を有することが好ましい。
【００１４】
本開示の技術におけるタッチセンサ用電極の他の態様によれば、第１間隙部は、第１パッドと、第１非接続電極線の２つの端部のうちで第１パッドに近い端部、および、第１最近接セルの内部の少なくとも一方に位置するため、第１間隙部は、タッチパネルの使用者によって視認される表示面の外部、あるいは、表示面の端に位置する。それゆえに、表示面に表示される画像の質に対する第１間隙部の影響を小さくすることができる。
【００１５】
本開示の技術におけるタッチセンサ用電極の他の態様において、前記第２帯状電極の各々は、前記第２パッドと、前記第２非接続線の２つの端部のうちで前記第２パッドに近い端部との間、および、前記第２最近接セルの内部の少なくとも一方に、第２間隙部を有することが好ましい。
【００１６】
本開示の技術におけるタッチセンサ用電極の他の態様によれば、第２間隙部は、第２パッドと、第２非接続電極線の２つの端部のうちで第２パッドに近い端部、および、第２最近接セルの内部の少なくとも一方に位置するため、第２間隙部は、タッチパネルの使用者によって視認される表示面の外部、あるいは、表示面の端に位置する。それゆえに、表示面に表示される画像の質に対する第２間隙部の影響を小さくすることができる。
【００１７】
本開示の技術におけるタッチセンサ用電極の他の態様において、前記第１帯状電極の各々は、前記第１パッドと、前記第１非接続線の前記第１パッドに近い端部との間に前記第１間隙部を有し、前記第１間隙部が、前記第１配列方向において規則的に位置していることが好ましい。
【００１８】
本開示の技術におけるタッチセンサ用電極の他の態様によれば、第１間隙部が第１配列方向において規則的に位置することで、第１配列方向において静電容量を形成しない領域が偏って位置することが抑えられる。それゆえに、第１配列方向において、タッチセンサの検出の感度にばらつきが生じることが抑えられる。
【００１９】
本開示の技術におけるタッチセンサ用電極の他の態様において、前記第２帯状電極の各々は、前記第２パッドと、前記第２非接続線の前記第２パッドに近い端部との間に前記第２間隙部を有し、前記第２間隙部が、前記第２配列方向において規則的に位置していることが好ましい。
【００２０】
本開示の技術におけるタッチセンサ用電極の他の態様によれば、第２間隙部が第２配列方向において規則的に位置することで、第２配列方向において静電容量を形成しない領域が偏って位置することが抑えられる。それゆえに、第２配列方向において、タッチセンサの検出の感度にばらつきが生じることが抑えられる。
【００２１】
本開示の技術におけるタッチセンサ用電極の他の態様において、前記第１帯状電極の各々における前記第１電極線の数と、前記第２帯状電極の各々における前記第２電極線の数とが相互に等しく、複数の前記セルの各々では、前記第１帯状電極が含む前記第１非接続線の数と、前記第２帯状電極が含む前記第２非接続線の数とが相互に等しいことが好ましい。
【００２２】
本開示の技術におけるタッチセンサ用電極の他の態様において、前記第１帯状電極の各々における前記第１電極線の数と、前記第２帯状電極の各々における前記第２電極線の数とが相互に等しく、複数の前記セルの各々では、前記第１帯状電極が含む前記第１非接続線の数と、前記第２帯状電極が含む前記第２非接続線の数とが相互に異なることが好ましい。
【００２３】
本開示の技術におけるタッチセンサ用電極の他の態様によれば、１つのセルにおいて、第１非接続線の数と、第２非接続線の数とが相互に異なるため、第１非接続線の数と、第２非接続線の数とが相互に等しい構成と比べて、各セルおける静電容量の初期値が異なる値になる。それゆえに、第１非接続線の数と第２非接続線の数とが相互に等しい構成での静電容量の初期値を至適範囲とする周辺回路とは異なる周辺回路の仕様であれば、各セルにおける静電容量の初期値が、測定に適した範囲に含まれやすくなる。
【００２４】
本開示の技術におけるタッチセンサ用電極の一態様において、１つの方向である第１配列方向に沿って間隔を空けて並ぶ複数の第１パッドと、前記第１パッドと９０°よりも小さい対向角度を形成する複数の第１主電極線の群と、前記第１主電極線と直交して前記複数の第１主電極線間を繋ぐ複数の第１副電極線の群とから構成される第１帯状電極であって、前記第１配列方向に沿って間隔を空けて並ぶ複数の前記第１帯状電極を含む第１電極層と、前記第１配列方向と直交する第２配列方向に沿って間隔を空けて並ぶ複数の第２パッドと、前記第２パッドと９０°よりも小さい対向角度を形成する複数の第２主電極線の群と、前記第２主電極線と直交して前記複数の第２主電極線間を繋ぐ複数の第２副電極線の群とから構成される第２帯状電極であって、前記第２配列方向に沿って間隔を空けて並ぶ複数の前記第２帯状電極を含む第２電極層と、前記第１電極層と前記第２電極層との間に位置する透明誘電体基板と、を備える。前記透明誘電体基板と対向する平面視において、１つの前記第１主電極線の群と、１つの前記第２主電極線の群との立体的に交差する領域が１つのセルであり、前記セルが、複数の前記第１帯状電極の各々において前記第２配列方向に沿って並び、かつ、複数の前記第２帯状電極の各々において前記第１配列方向に沿って並び、前記複数のセルの各々に含まれる前記第１主電極線の群の各々は、前記第１パッドに接続していない第１非接続線を含む。
【００２５】
本開示の技術におけるタッチセンサ用電極の一態様によれば、各セルに含まれる第１主電極線の群が第１非接続線を含むことで、第１主電極線の全てが第１非接続線を含まない構成と比べて、複数のセルの各々における静電容量の初期値が小さくなる。そして、非接続線の本数が減るような設計の変更や、非接続線の本数が増えるような設計の変更によって、静電容量の初期値を至適な範囲に合わせることが可能である。それゆえに、相互に異なる静電容量の至適範囲に対して、電極線の幅や電極線の本数の変更を強いるような構造上の変更を軽減することができる。
【００２６】
本開示の技術におけるタッチセンサ用電極の他の態様において、前記複数のセルの各々に含まれる前記第２主電極線の群の各々は、前記第２パッドに接続していない第２非接続線を含むことが好ましい。
【００２７】
本開示の技術におけるタッチセンサ用電極の他の態様によれば、各セルに含まれる第２主電極線の群が第２非接続線を含むことで、第２主電極線の全てが第２非接続線を含まない構成と比べて、複数のセルの各々における静電容量の初期値が小さくなる。そして、第２非接続線の本数が減るような設計の変更や、第２非接続線の本数が増えるような設計の変更によって、静電容量の初期値を至適な範囲に合わせることが可能である。それゆえに、相互に異なる静電容量の至適範囲に対して、電極線の幅や電極線の本数の変更を強いるような構造上の変更を軽減することができる。
【００２８】
本開示の技術におけるタッチセンサ用電極の他の態様では、前記第１帯状電極の各々において、複数の前記第１主電極線の少なくとも一部は、少なくとも２つの第１間隙部を有し、複数の前記第１副電極線は、前記第２配列方向において所定の間隔を空けて位置し、前記第１間隙部は、前記第２配列方向にて相互に隣り合う２つの前記第１副電極線に挟まれる領域に２つずつ位置していることが好ましい。
【００２９】
本開示の技術におけるタッチセンサ用電極の他の態様によれば、第１間隙部は、第２配列方向にて相互に隣り合う２つの第１副電極線に挟まれる領域に位置するため、第１非接続線を形成するための第１間隙部の数が最も少なくて済む。それゆえに、タッチパネルの使用者によって視認される表示面と重なる部位に位置する第１間隙部の数が少なくなる。結果として、表示面に表示される画像の質に対する第１間隙部の影響を小さくすることができる。
【００３０】
本開示の技術におけるタッチセンサ用電極の他の態様では、前記第２帯状電極の各々において、複数の前記第２主電極線の少なくとも一部は、少なくとも２つの第２間隙部を有し、複数の前記第２副電極線は、前記第１配列方向において所定の間隔を空けて位置し、前記第２間隙部は、前記第１配列方向にて相互に隣り合う２つの前記第２副電極線に挟まれる領域に２つずつ位置していることが好ましい。
【００３１】
本開示の技術におけるタッチセンサ用電極の他の態様によれば、第２間隙部は、第１配列方向にて相互に隣り合う２つの第２副電極線に挟まれる領域に位置するため、第２非接続線を形成するための第２間隙部の数が最も少なくて済む。それゆえに、タッチパネルの使用者によって視認される表示面と重なる部位に位置する第２間隙部の数が少なくなる。結果として、表示面に表示される画像の質に対する第２間隙部の影響を小さくすることができる。
【００３２】
本開示の技術におけるタッチセンサ用電極の他の態様において、前記第１電極層は、複数の前記第１帯状電極が位置する表面を有した第１基材を備え、前記第２電極層は、複数の前記第２帯状電極が位置する表面を有した第２基材を備え、前記第１基材の表面に、前記第２基材の裏面が重なり、前記透明誘電体基板は、前記第２基材であることが好ましい。
【００３３】
本開示の技術におけるタッチセンサ用電極の他の態様において、前記透明誘電体基板は、１つの基板から構成されていることが好ましい。
本開示の技術におけるタッチセンサ用電極の他の態様によれば、複数の第１帯状電極と、複数の第２帯状電極との間に、１枚の第１基材が位置するため、各セルにおける静電容量の初期値は、１枚の第１基材によって影響される。それゆえに、各セルにおける静電容量の初期値は、複数の第１帯状電極と複数の第２帯状電極との間に複数の基材が位置する構成とは、異なる値になる。結果として、各セルにおける静電容量の初期値は、周辺回路における所定の仕様に対して適した値になる。
【００３４】
本開示の技術におけるタッチセンサ用電極の他の態様において、前記第１電極層は、複数の前記第１帯状電極が位置する表面を有した第１基材を備え、前記第２電極層は、複数の前記第２帯状電極が位置する表面を有した第２基材を備え、前記第１基材の裏面の上に、前記第２基材の裏面が重なり、前記透明誘電体基板は、前記第１基材、および、前記第２基材を含むことが好ましい。
【００３５】
本開示の技術におけるタッチセンサ用電極の他の態様によれば、複数の第１帯状電極と、複数の第２帯状電極との間に、第１基材と第２基材とが位置するため、各セルにおける静電容量の初期値は、２枚の基材によって影響される。それゆえに、各セルにおける静電容量の初期値は、複数の第１帯状電極と複数の第２帯状電極との間に１枚の基材が位置する構成とは、異なる値になる。結果として、各セルにおける静電容量の初期値は、周辺回路における所定の仕様に適した値になる。
【発明の効果】
【００３６】
本開示の技術によれば、ドライブ電極とセンシング電極との間の静電容量の初期値が、接触による容量の変化分に適した値の範囲に含まれやすくなる。
【図面の簡単な説明】
【００３７】
【図１】本開示の技術を具体化した第１実施形態における表示装置を示す平面図であって、相互に異なる構成要素の一部が重なる順に切り欠いて示される図である。
【図２】第１実施形態における表示装置の断面構造を示す断面図である。
【図３】第１実施形態のタッチパネルの電気的構成を説明するためのブロック図である。
【図４】第１実施形態におけるドライブ電極の配置を示す平面図である。
【図５】第１実施形態におけるドライブ電極とセンシング電極との配置の関係を示す平面図である。
【図６】第１実施形態におけるドライブ電極とセンシング電極との間の静電容量を説明するための模式図である。
【図７】従来の構成におけるドライブ電極とセンシング電極との間の静電容量を説明するための模式図である。
【図８】第１変形例におけるドライブ電極とセンシング電極との配置の関係を示す平面図である。
【図９】第２変形例におけるドライブ電極とセンシング電極との配置の関係を示す平面図である。
【図１０】本開示の技術を具体化した第２実施形態におけるドライブ電極の配置を示す平面図である。
【図１１】第２実施形態におけるセンシング電極の配置を示す平面図である。
【図１２】第２実施形態におけるドライブ電極とセンシング電極との配置の関係を示す平面図である。
【図１３】第３変形例におけるドライブ電極とセンシング電極との配置の関係を示す平面図である。
【図１４】第４変形例におけるドライブ電極の配置を示す平面図である。
【図１５】第４変形例におけるセンシング電極の配置を示す平面図である。
【図１６】第４変形例におけるドライブ電極とセンシング電極との配置の関係を示す平面図である。
【図１７】他の変形例における表示装置の断面構造を示す断面図である。
【図１８】他の変形例における表示装置の断面構造を示す断面図である。
【発明を実施するための形態】
【００３８】
［第１実施形態］
図１から図７を参照して、タッチセンサ用電極、タッチパネル、および、表示装置を具体化した第１実施形態を説明する。以下では、表示装置の構成、タッチパネルの電気的構成、ドライブ電極の構成、センシング電極の構成、タッチセンサの構成、および、タッチセンサ用電極の作用を順番に説明する。
【００３９】
［表示装置］
図１を参照して表示装置の構成を説明する。なお、図１では、ドライブ面に形成されるドライブ電極と、センシング面に形成されるセンシング電極との構成を説明する便宜状、ドライブ電極、および、センシング電極が誇張して示されている。
【００４０】
図１が示すように、表示装置は、例えば液晶パネルである表示パネル１０とタッチパネル２０とが、１つの透明接着層によって貼り合わされた積層体であり、タッチパネル２０を駆動する駆動回路を備えている。表示パネル１０の表面には、矩形形状に形成された表示面１０Ｓが区画され、表示面１０Ｓには、外部からの画像データに基づく画像などの情報が表示される。なお、表示パネル１０とタッチパネル２０との相対的な位置が筐体などの他の構成によって固定される前提であれば、透明接着層が割愛されてもよい。
【００４１】
タッチパネル２０は、静電容量式のタッチパネルであり、タッチセンサ用電極２１とカバー層２２とが透明接着層２３によって貼り合わされた積層体であり、表示パネル１０の表示する情報を透過する。カバー層２２は、ガラス基板や樹脂フィルムなどによって形成され、カバー層２２における透明接着層２３とは反対側の面は、タッチパネル２０における操作面２０Ｓとして機能する。透明接着層２３は、表示面１０Ｓに表示される画像を透過する光透過性を有し、透明接着層２３には、例えば、ポリエーテル系接着剤やアクリル系接着剤が用いられる。
【００４２】
タッチセンサ用電極２１を構成する透明基板３１は、表示パネル１０に形成された表示面１０Ｓの全体に重ねられて、表示面１０Ｓに形成される画像を透過する。透明基板３１は、例えば、透明ガラス基板や透明樹脂フィルムなどの基材から構成されて、１つの基材から構成される単層構造であってもよいし、２つ以上の基材が重ねられた多層構造であってもよい。透明基板３１は、第１基材の一例である。
【００４３】
透明基板３１における表示パネル１０とは反対側の面は、ドライブ面３１Ｓとして設定され、透明基板３１のドライブ面３１Ｓには、複数のパッド３１Ｐが、１つの方向である第１配列方向Ｄ１に沿って間隔を空けて並び、複数の電極線３１Ｌが、第１配列方向Ｄ１に沿って間隔を空けて並んでいる。複数の電極線３１Ｌの各々は、第１配列方向Ｄ１と直交する第２配列方向Ｄ２に沿ってパッド３１Ｐに向けて延びる折れ線形状を有している。透明基板３１において、ドライブ面３１Ｓが表面の一例であり、透明基板３１において、ドライブ面３１Ｓと対向する面が裏面の一例である。
【００４４】
複数の電極線３１Ｌの各々は、第１配列方向Ｄ１の２つの端のうちの一方に位置する電極線３１Ｌから順番に、９本ずつ、１つのパッド３１Ｐに対応付けられている。１つのパッド３１Ｐに対応付けられた９本の電極線３１Ｌの各々は、第２配列方向Ｄ２において２つの端部を有し、パッド３１Ｐに近い端部において、各電極線３１Ｌが対応付けられたパッド３１Ｐに接続している、あるいは、隙間を空けて近接している。なお、パッド３１Ｐは、第１パッドの一例であり、第１パッドごとの９本の電極線３１Ｌは、第１線群の一例である。１つのパッド３１Ｐと、この１つのパッド３１Ｐごとの９本の電極線３１Ｌとは、第１帯状電極の一例である１つのドライブ電極３１ＤＰを構成し、複数のドライブ電極３１ＤＰは、第１配列方向Ｄ１に沿って間隔を空けて並んでいる。複数のドライブ電極３１ＤＰと、透明基板３１とが、第１電極層を構成している。
【００４５】
複数の電極線３１Ｌの各々には、銅やアルミニウムなどの金属膜、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。また、複数の電極線３１Ｌの各々には、銀ナノワイヤー、導電性高分子膜、および、グラフェン膜などの導電膜も用いられる。１つのパッド３１Ｐと９本の電極線３１Ｌとから構成されるドライブ電極３１ＤＰの各々は、個別に選択回路３４に接続されて、選択回路３４が供給する駆動信号を受けることにより、選択回路３４によって選択される。
【００４６】
ドライブ面３１Ｓ、複数の電極線３１Ｌ、および、複数のパッド３１Ｐは、１つの透明接着層３２によって透明誘電体基板３３に貼り合わされている。透明接着層３２は、表示面１０Ｓに表示される画像を透過する光透過性を有して、ドライブ面３１Ｓ、複数の電極線３１Ｌ、および、複数のパッド３１Ｐと、透明誘電体基板３３とを接着する。透明接着層３２には、例えば、ポリエーテル系接着剤やアクリル系接着剤などが用いられる。透明接着層３２、および、透明誘電体基板３３は、誘電体基材を構成し、誘電体基材の裏面に、複数の電極線３１Ｌ、および、複数のパッド３１Ｐが形成されている。
【００４７】
透明誘電体基板３３は、例えば、ポリエチレンテレフタラートなどの透明樹脂フィルムや透明ガラス基板などの基材から構成されて、１つの基材から構成される単層構造であってもよいし、２つ以上の基材が重ねられた多層構造であってもよい。透明誘電体基板３３は、表示面１０Ｓに表示される画像を透過する光透過性と、電極間における静電容量の検出に適した比誘電率とを有する。透明誘電体基板３３は、第２基材の一例である。
【００４８】
透明誘電体基板３３における透明接着層３２とは反対側の面は、センシング面３３Ｓとして設定され、透明誘電体基板３３のセンシング面３３Ｓには、複数のパッド３３Ｐが、１つの方向である第２方向に沿って間隔を空けて並び、複数の電極線３３Ｌが、第２配列方向Ｄ２に沿って間隔を空けて並んでいる。複数の電極線３３Ｌの各々は、第１配列方向Ｄ１に沿ってパッド３３Ｐに向けて延びる折れ線状に形成されている。透明誘電体基板３３において、センシング面３３Ｓが表面の一例であり、透明誘電体基板３３において、センシング面３３Ｓと対向する面が裏面の一例である。
【００４９】
複数の電極線３３Ｌの各々は、第２配列方向Ｄ２の２つの端うちの一方に位置する電極線３３Ｌから順番に、９本ずつ、１つのパッド３３Ｐに対応付けられている。１つのパッド３３Ｐに対応付けられた９本の電極線３３Ｌの各々は、第１配列方向Ｄ１において２つの端部を有し、パッド３３Ｐに近い端部において、各電極線３１Ｌが対応付けられたパッド３３Ｐに接続している、あるいは、隙間を空けて近接している。なお、パッド３３Ｐは、第２パッドの一例であり、第２パッドごとの９本の電極線３３Ｌは、第２線群の一例である。１つのパッド３３Ｐと、この１つのパッド３３Ｐごとの９本の電極線３３Ｌとは、第２帯状電極の一例である１つのセンシング電極３３ＳＰを構成し、複数のセンシング電極３３ＳＰは、第２配列方向Ｄ２に沿って間隔を空けて並んでいる。複数のセンシング電極３３ＳＰが、第２電極層を構成している。
【００５０】
複数の電極線３３Ｌの各々には、上述したドライブ電極３１ＤＰを構成する電極線３１Ｌと同様に、銅やアルミニウムなどの金属膜、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。また、複数の電極線３３Ｌの各々には、銀ナノワイヤー、導電性高分子膜、および、グラフェン膜などの導電膜も用いられる。
【００５１】
１つのパッド３３Ｐと９本の電極線３３Ｌとから構成されるセンシング電極３３ＳＰの各々は、個別に検出回路３５に接続されて、センシング電極３３ＳＰごとの電圧が、検出回路３５によって検出される。タッチセンサ用電極２１、選択回路３４、および、検出回路３５が、タッチセンサの一例である。
【００５２】
センシング面３３Ｓ、複数の電極線３３Ｌ、および、複数のパッド３３Ｐは、上述した透明接着層２３によってカバー層２２に貼り合わされている。
すなわち、図２が示すように、タッチパネル２０では、表示パネル１０に近い構成要素から順番に、透明基板３１、ドライブ電極３１ＤＰ、透明接着層３２、透明誘電体基板３３、センシング電極３３ＳＰ、透明接着層２３、カバー層２２が位置している。このうち、透明誘電体基板３３は、透明基板３１とドライブ電極３１ＤＰとから構成される第１電極層と、センシング電極３３ＳＰから構成される第２電極層との間に位置している。すなわち、透明誘電体基板３３は、複数のドライブ電極３１ＤＰと、複数のセンシング電極３３ＳＰとに挟まれている。
【００５３】
なお、透明接着層３２は、ドライブ電極３１ＤＰを構成する各電極線３１Ｌの周りを覆って、隣り合う電極線３１Ｌの間を埋めながら、ドライブ電極３１ＤＰと透明誘電体基板３３との間に位置している。また、透明接着層２３は、センシング電極３３ＳＰを構成する各電極線３３Ｌの周りを覆って、隣り合う電極線３３Ｌの間を埋めながら、センシング電極３３ＳＰとカバー層２２との間に位置している。これらの構成要素において、透明接着層２３、および、透明基板３１の少なくとも一方は、割愛されてもよい。
【００５４】
また、表示パネル１０では、タッチパネル２０から遠い構成要素から順番に、表示パネル１０を構成する複数の構成要素が以下のように並んでいる。すなわち、タッチパネル２０から遠い構成要素から順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。このうち、ＴＦＴ層１３には、サブ画素を構成する画素電極がマトリクス状に位置している。そして、カラーフィルタ層１５では、ブラックマトリクスが、サブ画素の各々と向かい合う矩形形状を有する複数の領域を区画し、ブラックマトリクスの区画する各領域には、白色光を赤色、緑色、および、青色のいずれかの色の光に変える着色層が位置している。
【００５５】
なお、表示パネル１０は、液晶パネルでなくともよく、例えば、有機ＥＬパネルなどであってもよい。
タッチパネル２０において、複数の電極線３１Ｌと、複数のパッド３１Ｐとは、ドライブ面３１Ｓに形成された１つの薄膜が、マスクを介したエッチングによって同時に形成されてもよい。あるいは、複数の電極線３１Ｌと、複数のパッド３１Ｐとは、各別の工程によって相互に異なる材料から形成されてもよい。また、複数の電極線３１Ｌと、複数のパッド３１Ｐとは、透明基板３１とは異なる他の基材に形成され、複数の電極線３１Ｌと、複数のパッド３１Ｐとが、他の基材から透明基板３１に貼り付けられることによって形成されてもよい。
【００５６】
タッチパネル２０において、複数の電極線３３Ｌと、複数のパッド３３Ｐとは、センシング面３３Ｓに形成された１つの薄膜が、マスクを介したエッチングによって同時に形成されてもよい。あるいは、複数の電極線３３Ｌと、複数のパッド３３Ｐとは、各別の工程によって相互に異なる材料から形成されてもよい。また、複数の電極線３３Ｌと、複数のパッド３３Ｐとは、透明誘電体基板３３とは異なる他の基材に形成され、複数の電極線３３Ｌと、複数のパッド３３Ｐとが、他の基材から透明誘電体基板３３に貼り付けられることによって形成されてもよい。
【００５７】
なお、透明接着層２３の割愛される構成においては、カバー層２２の面の中で透明誘電体基板３３と対向する面がセンシング面３３Ｓとして設定され、そのセンシング面３３Ｓに形成される１つの薄膜のパターニングによって、パッド３３Ｐや電極線３３Ｌが形成されてもよい。
【００５８】
また、タッチパネル２０の製造に際しては、タッチセンサ用電極２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に銅などの導電性金属から構成される薄膜層を直に、もしくは、下地層を介して形成し、薄膜層の上にセンシング電極のパターン形状を有したレジスト層を形成する。次いで、塩化第二鉄などを用いたウエットエッチング法によって、薄膜層からセンシング電極３３ＳＰに加工して、第１のフィルムを得る。また、センシング電極３３ＳＰと同様に、他の樹脂フィルムに形成された薄膜層をドライブ電極３１ＤＰに加工して、第２のフィルムを得る。そして、第１フィルムと第２フィルムとが透明誘電体基板３３を挟むように、透明誘電体基板３３に対して透明接着層によって貼り付けられる。
【００５９】
［タッチパネルの電気的構成］
図３を参照して、タッチパネル２０の電気的構成を説明する。なお、以下では、静電容量式のタッチパネル２０の一例として、相互容量方式のタッチパネル２０における電気的構成を説明する。
【００６０】
図３が示すように、タッチパネル２０は、選択回路３４、検出回路３５、および、制御部３６を備えている。選択回路３４は、複数のドライブ電極３１ＤＰに接続することが可能であり、検出回路３５は、複数のセンシング電極３３ＳＰに接続することが可能であり、制御部３６は、選択回路３４と検出回路３５とに接続している。
【００６１】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰからｎ番目のドライブ電極３１ＤＰに向けて選択回路３４に順次走査させるための走査タイミング信号を生成して出力する。
【００６２】
一方で、制御部３６は、各センシング電極３３ＳＰを流れる電流の検出を検出回路３５に開始させるための開始タイミング信号を生成して出力する。制御部３６は、検出の対象を１番目のセンシング電極３３ＳＰからｎ番目のセンシング電極３３ＳＰに向けて検出回路３５に順次走査させるための走査タイミング信号を生成して出力する。
【００６３】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００６４】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００６５】
信号処理部３５ｂは、信号取得部３５ａの取得した各電流信号を処理して、デジタル値である電圧信号を生成し、生成した電圧信号を制御部３６に向けて出力する。このように、選択回路３４と検出回路３５とは、静電容量の変化に応じて変わる電流信号から電圧信号を生成することで、ドライブ電極３１ＤＰとセンシング電極３３ＳＰとの間の静電容量の変化を測定している。選択回路３４および検出回路３５が、周辺回路の一例である。
【００６６】
制御部３６は、信号処理部３５ｂの出力した電圧信号に基づいて、タッチパネル２０において使用者が触れている位置を検出する。
なお、タッチパネル２０は、上述した相互容量方式のタッチパネル２０に限らず、自己容量方式のタッチパネルであってもよい。
【００６７】
［ドライブ電極］
図４を参照してドライブ電極の構成を説明する。図４は、ドライブ電極３１ＤＰの平面構造を示す平面図であり、図４では、電極線３１Ｌの配置を説明する便宜上、電極線３１Ｌの線幅が誇張して示されている。
【００６８】
図４が示すように、１つのドライブ電極３１ＤＰは、第２配列方向Ｄ２に沿って延びる折れ線状に形成された９本の電極線３１Ｌを備え、第２配列方向Ｄ２に沿って延びる帯状電極である。複数のドライブ電極３１ＤＰは、第１配列方向Ｄ１に沿って間隔を空けて並んでいる。
【００６９】
１つのドライブ電極３１ＤＰを構成する９本の電極線３１Ｌにおいて、ドライブ電極３１ＤＰにおける第１配列方向Ｄ１の２つの端のうちの一方から順番に、パッド３１Ｐに接続しているドライブ電極線４１と、パッド３１Ｐに接続していないドライブ非接続線４２とが、交互に並んでいる。１つのパッド３１Ｐに対して第２配列方向Ｄ２にて向かい合う９本の電極線３１Ｌのうち、５本の電極線３１Ｌが第１接続線の一例であるドライブ電極線４１であり、４本の電極線３１Ｌが第１非接続線の一例であるドライブ非接続線４２である。
【００７０】
ドライブ非接続線４２の各々は、第２配列方向Ｄ２においてパッド３１Ｐと所定の間隔を空けて向かい合っている。各ドライブ非接続線４２におけるパッド３１Ｐに近い端と、パッド３１Ｐとの間の隙間の各々が、各電極線３１Ｌをパッド３１Ｐとの間に位置するパッド間隙部４３である。各パッド間隙部４３は、表示面１０Ｓの外側に位置している。表示面１０Ｓの内側において、ドライブ電極線４１とドライブ非接続線４２とは、相互に同じ構造を有し、第１配列方向Ｄ１における位置のみが相互に異なっている。パッド間隙部４３は、第１間隙部の一例である。
【００７１】
１つのドライブ電極３１ＤＰを構成する９本の電極線３１Ｌのうち、第１配列方向Ｄ１における２つの端の各々に位置する電極線３１Ｌは、パッド３１Ｐに接続しているドライブ電極線４１である。そして、第１配列方向Ｄ１における２つの端の各々に位置する電極線３１Ｌ以外の電極線３１Ｌのうちの一部が、パッド間隙部４３を介してパッド３１Ｐと向かい合うドライブ非接続線４２である。
【００７２】
複数のドライブ非接続線４２は、複数のドライブ電極３１ＤＰの中で第１配列方向Ｄ１において規則的に並んでいる。すなわち、第１配列方向Ｄ１において２つのパッド３１Ｐが隣り合う部位では、２本のドライブ非接続線４２が、相互に異なるパッド３１Ｐに接続している２本のドライブ電極線４１を挟んでいる。一方で、第１配列方向Ｄ１において１つのパッド３１Ｐに沿った部位では、２本のドライブ非接続線４２が１本のドライブ電極線４１を挟んでいる。
【００７３】
各ドライブ電極３１ＤＰにおける複数のパッド間隙部４３の各々は、複数の電極線３１Ｌと同時に形成されてもよい。複数の電極線３１Ｌと複数のパッド間隙部４３とが同時に形成されるとき、例えば、複数の電極線３１Ｌと複数のパッド間隙部４３とに対応する開口部を有するマスクを用いたスパッタ法が用いられる。そして、パッド間隙部４３の数や位置の変更は、電極線３１Ｌとパッド３１Ｐとの接続部位に対応するマスクの設定を変えることで足りる。それゆえに、タッチセンサ用電極２１における静電容量の至適範囲が変わるとしても、電極線３１Ｌに対して幅、位置、および、数などの構造上の変更を強いられることはない。
【００７４】
もしくは、各ドライブ電極３１ＤＰにおける複数のパッド間隙部４３の各々は、複数の電極線３１Ｌとは別に形成されてもよい。複数の電極線３１Ｌと複数のパッド間隙部４３とが別に形成されるとき、まず、各種の方法で複数の電極線３１Ｌが形成され、次いで、複数の電極線３１Ｌの一部が、エッチング法やレーザーアブレーション法によって切断されることで、パッド間隙部４３が形成される。そして、パッド間隙部４３の数や位置の変更は、切断位置の設定を変えることで足りる。それゆえに、タッチセンサ用電極２１における静電容量の至適範囲が変わるとしても、電極線３１Ｌに対して幅、位置、および、数などの構造上の変更を強いられることはない。
【００７５】
［センシング電極］
図５を参照してセンシング電極の構成を説明する。図５は、ドライブ電極３１ＤＰとセンシング電極３３ＳＰとをドライブ電極３１ＤＰとセンシング電極３３ＳＰとの積層される方向から見た平面図である。なお、図５では、ドライブ電極３１ＤＰ、および、センシング電極３３ＳＰの配置を説明する便宜上、電極線３１Ｌの線幅、および、電極線３３Ｌの線幅が誇張して示されている。
【００７６】
図５が示すように、１つのセンシング電極３３ＳＰは、第１配列方向Ｄ１に沿って延びる折れ線状に形成された９本の電極線３３Ｌから構成されて、第１配列方向Ｄ１に沿って延びる帯状電極である。複数のセンシング電極３３ＳＰの各々は、第２配列方向Ｄ２に沿って間隔を空けて並び、かつ、透明誘電体基板３３と対向する平面視方向から見て、複数のドライブ電極３１ＤＰの各々と交差する位置に配置されている。
【００７７】
１つのセンシング電極３３ＳＰを構成する９本の電極線３３Ｌにおいて、センシング電極３３ＳＰにおける第２配列方向Ｄ２の２つの端のうちの一方から順番に、パッド３３Ｐに接続しているセンシング電極線５１と、パッド３３Ｐに接続していないセンシング非接続線５２とが、交互に並んでいる。１つのパッド３３Ｐに対して第１配列方向Ｄ１にて向かい合う９本の電極線３３Ｌのうち、５本の電極線３３Ｌが第２接続線の一例であるセンシング電極線５１であり、４本の電極線３３Ｌが第２非接続線の一例であるセンシング非接続線５２である。
【００７８】
センシング非接続線５２の各々は、第１配列方向Ｄ１においてパッド３３Ｐと所定の間隔を空けて向かい合っている。各センシング非接続線５２におけるパッド３３Ｐに近い端と、パッド３３Ｐとの間の隙間の各々が、各電極線３３Ｌをパッド３３Ｐとの間に位置するパッド間隙部５３である。各パッド間隙部５３は、表示面１０Ｓの外側に位置し、かつ、複数のドライブ電極３１ＤＰにおけるパッド間隙部４３とは重ならない部位に位置している。表示面１０Ｓの内側において、センシング電極線５１とセンシング非接続線５２とは、相互に同じ構造を有し、第２配列方向Ｄ２における位置のみが相互に異なっている。パッド間隙部５３は、第２間隙部の一例である。
【００７９】
各センシング非接続線５２は、パッド３３Ｐに接続していないため、センシング電極３３ＳＰの電圧を検出する検出回路３５にも接続していない。それゆえに、センシング非接続線５２の電圧は、検出回路３５によって検出されない。
【００８０】
１つのセンシング電極３３ＳＰを構成する９本の電極線３３Ｌのうち、第２配列方向Ｄ２における２つの端の各々に位置する電極線３３Ｌは、パッド３３Ｐに接続しているセンシング電極線５１である。そして、第２配列方向Ｄ２における２つの端の各々に位置する電極線３３以外の電極線３３Ｌのうちの一部が、パッド間隙部５３を介してパッド３３Ｐ向かい合うセンシング非接続線５２である。
【００８１】
複数のセンシング非接続線５２は、複数のセンシング電極３３ＳＰの中で第２配列方向Ｄ２において規則的に並んでいる。すなわち、第２配列方向Ｄ２において２つのパッド３３Ｐが隣り合う部位では、２本のセンシング非接続線５２が、相互に異なるパッド３３Ｐに接続している２本のセンシング電極線５１を挟んでいる。一方で、第２配列方向Ｄ２において１つのパッド３３Ｐに沿った部位では、２本のセンシング非接続線５２が１つのセンシング電極線５１を挟んでいる。
【００８２】
各センシング電極３３ＳＰにおける複数のパッド間隙部５３の各々は、複数の電極線３３Ｌと同時に形成されてもよい。複数の電極線３３Ｌと複数のパッド間隙部５３とが同時に形成されるとき、例えば、複数の電極線３３Ｌと複数のパッド間隙部５３とに対応する開口部を有するマスクを用いたスパッタ法が用いられる。そして、パッド間隙部５３の数や位置の変更は、電極線３３Ｌとパッド３３Ｐとの接続部位に対応するマスクの設定を変えることで足りる。それゆえに、タッチセンサ用電極２１における静電容量の至適範囲が変わるとしても、電極線３３Ｌに対して幅、位置、および、数などの構造上の変更を強いられることはない。
【００８３】
もしくは、各センシング電極３３ＳＰにおける複数のパッド間隙部５３の各々は、複数の電極線３３Ｌとは別に形成されてもよい。複数の電極線３３Ｌと複数のパッド間隙部５３とが別に形成されるとき、まず、各種の方法で複数の電極線３３Ｌが形成され、次いで、複数の電極線３３Ｌの一部が、エッチング法やレーザーアブレーション法によって切断されることで、パッド間隙部５３が形成される。そして、パッド間隙部５３の数や位置の変更は、切断位置の設定を変えることで足りる。それゆえに、タッチセンサ用電極２１における静電容量の至適範囲が変わるとしても、電極線３３Ｌに対して幅、位置、および、数などの構造上の変更を強いられることはない。
【００８４】
［タッチセンサ用電極］
図５を参照してタッチセンサ用電極２１の構成の一部を説明する。
図５が示すように、タッチセンサ用電極２１には、複数のセル２１Ｃが設定されている。各セル２１Ｃは、透明誘電体基板３３と対向する平面視において、１つのドライブ電極３１ＤＰを構成する第１線群と、１つのセンシング電極３３ＳＰを構成する第２線群とが、立体的に交差する領域である。そのため、複数のドライブ電極３１ＤＰの各々において、複数のセル２１Ｃは、ドライブ電極３１ＤＰの並ぶ第１配列方向Ｄ１と直交する第２配列方向Ｄ２に沿って並ぶ。これに対して、複数のセンシング電極３３ＳＰの各々において、複数のセル２１Ｃは、センシング電極３３ＳＰの並ぶ第２配列方向Ｄ２と直交する第１配列方向Ｄ１に沿って並ぶ。各セル２１Ｃは、表示面１０Ｓの内側に位置している。
【００８５】
ドライブ電極３１ＤＰごとにパッド３１Ｐに最も近接するセル２１Ｃが、最近接セル２１Ｃｄであり、最近接セル２１Ｃｄは、第１最近接セルの一例である。各ドライブ電極３１ＤＰを構成する第１線群は、パッド３１Ｐに接続しないドライブ非接続線４２と、パッド３１Ｐに接続するドライブ電極線４１とを最近接セル２１Ｃｄに含む。各ドライブ電極３１ＤＰにおいて、各ドライブ非接続線４２とパッド３１Ｐとの間に位置するパッド間隙部４３は、パッド３１Ｐと最近接セル２１Ｃｄとの間に位置している。
【００８６】
一方で、センシング電極３３ＳＰごとにパッド３３Ｐに最も近接するセル２１Ｃが、最近接セル２１Ｃｓであり、最近接セル２１Ｃｓは、第２最近接セルの一例である。各センシング電極３３ＳＰを構成する第２線群は、パッド３３Ｐに接続しないセンシング非接続線５２と、パッド３３Ｐに接続するセンシング電極線５１とを最近接セル２１Ｃｓに含む。各センシング電極３３ＳＰにおいて、各センシング非接続線５２とパッド３３Ｐとの間に位置するパッド間隙部５３は、パッド３３Ｐと最近接セル２１Ｃｓとの間に位置している。
【００８７】
つまり、各ドライブ電極３１ＤＰの有する複数のパッド間隙部４３は、表示面１０Ｓの外側に位置し、かつ、各センシング電極３３ＳＰの有する複数のパッド間隙部５３も、表示面１０Ｓの外側に位置している。そのため、各ドライブ電極３１ＤＰにおける複数のパッド間隙部４３、および、各センシング電極３３ＳＰにおける複数のパッド間隙部５３のいずれもが、表示装置の使用者によって視認される部分に位置しないため、表示面１０Ｓに表示される画像の質が、複数のパッド間隙部によって低くなることが避けられる。
【００８８】
［タッチセンサ用電極の作用］
図６および図７を参照してタッチセンサ用電極の作用を説明する。なお、図６および図７では、タッチセンサ用電極の作用を説明する便宜上、ドライブ電極の形状、および、センシング電極の形状が模式的に示されている。
【００８９】
図６が示すように、１つのセル２１Ｃにおいて、１つのセンシング電極３３ＳＰが、１つのドライブ電極３１ＤＰの上に積み重なっている。センシング電極３３ＳＰは、上述のように、パッド３３Ｐに接続しているセンシング電極線５１と、パッド３３Ｐに接続していないセンシング非接続線５２とを備えている。一方で、ドライブ電極３１ＤＰは、パッド３１Ｐに接続しているドライブ電極線４１と、パッド３１Ｐに接続していないドライブ非接続線４２とを備えている。
【００９０】
各セル２１Ｃにおいて、ドライブ電極線４１とセンシング電極線５１とは、検出回路３５によって検出される電圧の大きさの変化に寄与する静電容量Ｃを形成する。一方で、ドライブ電極線４１とセンシング非接続線５２とは、検出回路３５によって検出される電圧の大きさの変化に寄与しない寄生容量を形成する。ドライブ非接続線４２とセンシング電極線５１とは、ドライブ電極線４１とセンシング非接続線５２と同じく、寄生容量を形成する。つまり、各セル２１Ｃでは、各電極線３１Ｌと各電極線３３Ｌとが立体的に交差する部分のうち、各ドライブ電極線４１と各センシング電極線５１とが立体的に交差する部分においてのみ検出回路３５の検出結果に反映される静電容量Ｃが形成される。
【００９１】
図７が示すように、１つのセンシング電極３３ＳＰの備える電極線３３Ｌの全てが、パッド３３Ｐに接続しているセンシング電極線５１であり、１つのドライブ電極３１ＤＰの備える電極線３１Ｌの全てが、パッド３１Ｐに接続しているドライブ電極線４１である。そのため、各電極線３１Ｌと各電極線３３Ｌとが立体的に交差する部分の全てにおいて、検出回路３５によって検出される電圧の大きさの変化に寄与する静電容量Ｃが形成される。
【００９２】
このように、各ドライブ電極３１ＤＰが複数のパッド間隙部４３を備え、かつ、各センシング電極３３ＳＰが複数のパッド間隙部５３を備えるタッチセンサ用電極２１によれば、パッド間隙部を備えていない構成と比べて、各セル２１Ｃにおける電圧の変化に寄与する静電容量Ｃの初期値が小さくなる。
【００９３】
そして、ドライブ電極線４１の本数が増える分だけドライブ非接続線４２の本数が減るような設計の変更や、ドライブ電極線４１の本数が減る分だけドライブ非接続線４２の本数が増えるような設計の変更によって、静電容量Ｃの初期値を至適な範囲に合わせることが可能である。また、センシング電極線５１の本数が増える分だけセンシング非接続線５２の本数が減るような設計の変更や、センシング電極線５１の本数が減る分だけセンシング非接続線５２の本数が増えるような設計の変更によって、静電容量Ｃの初期値を至適な範囲に合わせることが可能である。
【００９４】
それゆえに、相互に異なる静電容量Ｃの至適範囲に対して、電極線の幅や電極線の本数の変更を強いるような構造上の変更を軽減することができる。
ところで、各ドライブ電極を構成する複数の電極線が並ぶ方向と、各センシング電極を構成する複数の電極線が並ぶ方向とは、一般に相互に直交する。一方で、表示装置は、格子形状を有するブラックマトリクスを備えているため、複数の電極線が形成する格子形状と、ブラックマトリクスの有する格子形状との間のずれによって、干渉縞が形成されてしまう。そこで、上述した構成では、各ドライブ電極３１ＤＰを構成する複数の電極線３１Ｌの各々、および、各センシング電極３３ＳＰを構成する複数の電極線３３Ｌの各々が、折れ線形状を有することで、表示装置における干渉縞の発生が抑えられている。
【００９５】
こうした干渉縞を抑えるための構成において、複数の電極線の各々が折れ線形状を有するとき、ドライブ電極３１ＤＰとセンシング電極３３ＳＰとの間の静電容量Ｃの初期値は、複数の電極線の各々の形状によって規定される。そのため、ドライブ電極３１ＤＰとセンシング電極３３ＳＰとの間の静電容量Ｃの初期値が、接触による容量の変化分に適した値の範囲を超える場合もある。
【００９６】
この点で、上述のように、ドライブ電極３１ＤＰが複数のパッド間隙部４３を備え、かつ、センシング電極３３ＳＰが複数のパッド間隙部５３を備える構成によれば、表示装置における干渉縞の発生を抑えつつ、静電容量Ｃの初期値が、接触による容量の変化分に適した値の範囲に含まれやすくなる。
【００９７】
しかも、各ドライブ電極３１ＤＰにおける複数のパッド間隙部４３は、複数のドライブ電極３１ＤＰの中で第１配列方向Ｄ１に沿って規則的に並び、また、各センシング電極３３ＳＰにおけるパッド間隙部５３は、複数のセンシング電極３３ＳＰの中で第２配列方向Ｄ２に沿って規則的に並んでいる。そのため、複数のドライブ電極３１ＤＰ、および、複数のセンシング電極３３ＳＰにおいて、静電容量を形成しない部分が規則的に並んでいる。それゆえに、タッチセンサ用電極２１が形成された領域の内部にて容量の変化が測定される位置に偏りが生じにくくなる。結果として、タッチセンサによる検出に偏りが生じにくくなる。
【００９８】
さらには、各ドライブ電極３１ＤＰにおいて、パッド間隙部４３を介してパッド３１Ｐと向かい合う電極線３１Ｌは、各ドライブ電極３１ＤＰの中で第１配列方向Ｄ１における２つの端の各々に位置する電極線３１Ｌ以外の電極線３１Ｌである。また、各センシング電極３３ＳＰにおいて、パッド間隙部５３を介してパッド３３Ｐと向かい合う電極線３３Ｌは、センシング電極３３ＳＰの中で第２配列方向Ｄ２における２つの端の各々に位置する電極線３３Ｌ以外の電極線３３Ｌである。
【００９９】
そのため、各ドライブ電極３１ＤＰにおいては、少なくとも第１配列方向Ｄ１の両端にて静電容量が形成され、各センシング電極３３ＳＰにおいては、少なくとも第２配列方向Ｄ２の両端にて静電容量が形成される。それゆえに、パッドに接続していない電極線、すなわち、静電容量の検出にほぼ寄与しない電極線を有する構成とはいえ、相互に隣り合う２つの電極の間では、静電容量の検出にほぼ寄与しない部分が広がることが抑えられる。それゆえに、タッチセンサ用電極２１が形成された領域の内部にて容量の変化が測定される位置に偏りが生じにくくなる。結果として、タッチセンサによる検出の偏りが生じにくくなる。
【０１００】
以上説明したように、第１実施形態によれば、以下に列挙する効果を得ることができる。
（１）各ドライブ電極３１ＤＰを構成する電極線３１Ｌのうち、パッド３１Ｐに接続していないドライブ非接続線４２は、周辺回路によって測定される静電容量を各センシング電極線５１との間にほぼ形成しない。また、各センシング電極３３ＳＰを構成する電極線３３Ｌのうち、パッド３３Ｐと接続していないセンシング非接続線５２は、周辺回路によって測定される静電容量を各ドライブ電極線４１との間にほぼ形成しない。
【０１０１】
そのため、各セル２１Ｃにおける静電容量の初期値は、パッドに接続していない電極線を有しない構成と比べて、パッドに接続していない電極線の数に応じて小さくなる。それゆえに、各セル２１Ｃにおける静電容量の初期値が、接触による容量の変化分に適した値を超えることが抑えられる。
【０１０２】
そして、ドライブ電極線４１の本数が増える分だけドライブ非接続線４２の本数が減るような設計の変更や、ドライブ電極線４１の本数が減る分だけドライブ非接続線４２の本数が増えるような設計の変更によって、静電容量Ｃの初期値を至適な範囲に合わせることが可能である。また、センシング電極線５１の本数が増える分だけセンシング非接続線５２の本数が減るような設計の変更や、センシング電極線５１の本数が減る分だけセンシング非接続線５２の本数が増えるような設計の変更によって、静電容量Ｃの初期値を至適な範囲に合わせることが可能である。
【０１０３】
それゆえに、相互に異なる静電容量Ｃの至適範囲に対して、電極線の幅や電極線の本数の変更を強いるような構造上の変更を軽減することができる。
（２）複数のドライブ電極３１ＤＰ、および、複数のセンシング電極３３ＳＰにおいて、静電容量を形成しない部分が規則的に並んでいる。そのため、タッチセンサ用電極２１が形成された領域の内部にて容量の変化が測定される位置に偏りが生じにくくなる。それゆえに、タッチセンサによる検出に偏りが生じにくくなる。
【０１０４】
（３）各ドライブ電極３１ＤＰにおいては、少なくとも第１配列方向Ｄ１の両端にて静電容量が形成され、各センシング電極３３ＳＰにおいては、少なくとも第２配列方向Ｄ２の両端にて静電容量が形成される。そのため、静電容量の検出にほぼ寄与しない非接続線を有する構成とはいえ、相互に隣り合う２つの電極の間では、静電容量の検出にほぼ寄与しない部分が広がることが抑えられる。それゆえに、タッチセンサ用電極が形成された領域の内部にて容量の変化が測定される位置に偏りが生じにくくなる。結果として、タッチセンサによる検出に偏りが生じにくくなる。
【０１０５】
なお、上述した第１実施形態は、以下のように適宜変更して実施することができる。
［第１変形例］
図８を参照して第１変形例を説明する。第１変形例は、上述した第１実施形態と比べて、複数のドライブ電極３１ＤＰの中で、第１配列方向Ｄ１におけるパッド間隙部の位置が異なる。そのため、以下では、こうした相違点を詳しく説明し、第１実施形態と同等の構成には、図５と同じ符号を付すことで、詳細な説明を省略する。
【０１０６】
図８は、図５と同様、ドライブ電極３１ＤＰとセンシング電極３３ＳＰとをドライブ電極３１ＤＰとセンシング電極３３ＳＰとの積層される方向から見た平面図である。なお、図８では、図５と同様、ドライブ電極３１ＤＰ、および、センシング電極３３ＳＰの配置を説明する便宜上、電極線３１Ｌ、および、電極線３３Ｌの線幅が誇張して示されている。
【０１０７】
図８が示すように、１つのドライブ電極３１ＤＰは、パッド３１Ｐと、第２配列方向Ｄ２に沿って延びる折れ線状に形成された９本の電極線３１Ｌとから構成されて、第２配列方向Ｄ２に沿って延びる帯状電極である。複数のドライブ電極３１ＤＰの各々は、第１配列方向Ｄ１に沿って間隔を空けて並んでいる。
【０１０８】
１つのドライブ電極３１ＤＰを構成する９本の電極線３１Ｌにおいて、４本目の電極線３１Ｌと、６本目の電極線３１Ｌとが、ドライブ非接続線４２として設定されている。そして、１つのドライブ電極３１ＤＰにおいて、ドライブ電極３１ＤＰにおける第１配列方向Ｄ１の２つの端のうちの一方から、３本のドライブ電極線４１、１本のドライブ非接続線４２、１本のドライブ電極線４１、１本のドライブ非接続線４２、および、３本のドライブ電極線４１が順番に並んでいる。９本の電極線３１Ｌにおいて、第１配列方向Ｄ１における中央に位置するドライブ電極線４１を対称軸とするとき、残りの８本の電極線を構成するドライブ電極線４１の位置、および、ドライブ非接続線４２の位置が、ほぼ線対称に配置されている。
【０１０９】
１つのパッド３１Ｐに対して第２配列方向Ｄ２にて向かい合う９本の電極線３１Ｌのうち、７本の電極線３１Ｌがドライブ電極線４１であり、２本の電極線３１Ｌがドライブ非接続線４２である。
【０１１０】
ドライブ非接続線４２の各々は、第２配列方向Ｄ２においてパッド３１Ｐと所定の間隔を空けて向かい合っている。各ドライブ非接続線４２におけるパッド３１Ｐに近い端と、パッド３１Ｐとの間の隙間の各々がパッド間隙部４４である。各パッド間隙部４４は、表示面１０Ｓの外側に位置している。
【０１１１】
タッチセンサ用電極２１の有するドライブ非接続線４２は、複数のドライブ電極３１ＤＰの中で第１配列方向Ｄ１において規則的に並んでいる。すなわち、第１配列方向Ｄ１において２つのパッド３１Ｐが隣り合う部位では、２本のドライブ非接続線４２が、相互に異なるパッド３１Ｐに３本ずつ接続している６本のドライブ電極線４１を挟んでいる。一方で、第１配列方向Ｄ１において１つのパッド３１Ｐに沿った部位では、２本のドライブ非接続線４２が１本のドライブ電極線４１を挟んでいる。
【０１１２】
１つのドライブ電極３１ＤＰは、２本のドライブ非接続線４２を備える一方、１つのセンシング電極３３ＳＰは、上述した第１実施形態と同様、４本のセンシング非接続線５２を備えている。つまり、１つのドライブ電極３１ＤＰが備えるドライブ非接続線４２の数と、１つのセンシング電極３３ＳＰが備えるセンシング非接続線５２の数とが、相互に異なっている。これにより、各セル２１Ｃの静電容量が、上述した第１実施形態における各セル２１Ｃの静電容量とは異なる。
【０１１３】
このように、タッチセンサ用電極２１においては、１つのドライブ電極３１ＤＰが備えるドライブ非接続線４２の数と、１つのセンシング電極３３ＳＰが備えるセンシング非接続線５２の数とが相互に異なることにより、各セル２１Ｃの静電容量が変わる。また、タッチセンサ用電極２１を構成する各ドライブ電極３１ＤＰの形状、および、各センシング電極３３ＳＰの形状を変えずとも、各セル２１Ｃの静電容量を変えることができる。結果として、各セル２１Ｃに含まれる非接続線の数が変わることによって、各セル２１Ｃの静電容量が、タッチセンサ用電極２１に接続する周辺回路の仕様に合わせられる。
【０１１４】
以上説明したように、第１変形例によれば、上述した（１）から（３）の効果に加えて、以下に記載の効果を得ることができる。
（４）１つのドライブ電極３１ＤＰのドライブ非接続線４２の数と、１つのセンシング電極３３ＳＰのセンシング非接続線５２の数とが相互に異なる。これにより、１つのドライブ電極３１ＤＰのドライブ非接続線４２の数と、１つのセンシング電極３３ＳＰのセンシング非接続線５２の数とが相互に同じである構成と比べて、各セル２１Ｃの静電容量の値が異なる。
【０１１５】
［第２変形例］
図９を参照して第２変形例を説明する。第２変形例は、上述した第１実施形態と比べて、複数のドライブ電極３１ＤＰの各々と、複数のセンシング電極３３ＳＰとの各々が、上述したパッド間隙部以外の間隙部を有する点が異なる。そのため、以下では、こうした相違点を詳しく説明し、第１実施形態と同等の構成には、図５と同じ符号を付すことで、詳細な説明を省略する。
【０１１６】
図９は、図５と同様、ドライブ電極３１ＤＰとセンシング電極３３ＳＰとをドライブ電極３１ＤＰとセンシング電極３３ＳＰとの積層される方向から見た平面図である。なお、図９では、図５と同様、ドライブ電極３１ＤＰ、および、センシング電極３３ＳＰの配置を説明する便宜上、電極線３１Ｌ、および、電極線３３Ｌの線幅が誇張して示されている。
【０１１７】
図９が示すように、１つのドライブ電極３１ＤＰは、１つのパッド３１Ｐと、第２配列方向Ｄ２に沿って延びる折れ線状に形成された９本の電極線３１Ｌとから構成されて、第２配列方向Ｄ２に沿って延びる帯状電極である。複数のドライブ電極３１ＤＰの各々は、第１配列方向Ｄ１に沿って並んでいる。
【０１１８】
１つのドライブ電極３１ＤＰを構成する９本の電極線３１Ｌにおいて、ドライブ電極３１ＤＰにおける第１配列方向Ｄ１の２つの端のうちの一方から順番に、パッド３１Ｐに接続しているドライブ電極線４１と、パッド３１Ｐに接続していないドライブ非接続線４２とが、交互に並んでいる。
【０１１９】
ドライブ非接続線４２の各々は、第２配列方向Ｄ２においてパッド３１Ｐと所定の間隔を空けて向かい合っている。各ドライブ非接続線４２におけるパッド３１Ｐに近い端と、パッド３１Ｐとの間の隙間の各々がパッド間隙部４３である。各パッド間隙部４３は、表示面１０Ｓの外側に位置している。
【０１２０】
各ドライブ非接続線４２は、さらに、第２配列方向Ｄ２における途中の部位で、複数の電極線間隙部４５によって、複数のドライブ非接続片４２ａに分けられている。複数の電極線間隙部４５は、パッド間隙部４３よりもパッド３１Ｐから離れた部位にて第２配列方向Ｄ２に沿って並び、かつ、各電極線間隙部４５は、第２配列方向Ｄ２において相互に隣り合う２つのセル２１Ｃの間の全てに位置している。
【０１２１】
各ドライブ非接続線４２を構成する複数のドライブ非接続片４２ａの各々は、第２配列方向Ｄ２に沿った長さがほぼ等しい。そのため、各ドライブ非接続片４２ａが向かい合う電極線３３Ｌとの間に形成する寄生容量の大きさがほぼ等しくなる。それゆえに、複数のセル２１Ｃにおいて、寄生容量を含む静電容量の大きさがほぼ等しくなる。
【０１２２】
一方で、１つのセンシング電極３３ＳＰは、１つのパッド３３Ｐと、第１配列方向Ｄ１に沿って延びる折れ線状に形成された９本の電極線３３Ｌとから構成されて、第１配列方向Ｄ１に沿って延びる帯状電極である。複数のセンシング電極３３ＳＰの各々は、第２配列方向Ｄ２に沿って並び、かつ、透明誘電体基板３３と対向する平面視方向から見て、複数のドライブ電極３１ＤＰの各々と立体的に交差する位置に配置されている。
【０１２３】
１つのセンシング電極３３ＳＰを構成する９本の電極線３３Ｌにおいて、センシング電極３３ＳＰにおける第２配列方向Ｄ２の２つの端のうちの一方から順番に、パッド３３Ｐに接続しているセンシング電極線５１と、パッド３３Ｐに接続していないセンシング非接続線５２とが、交互に並んでいる。
【０１２４】
センシング非接続線５２の各々は、第２配列方向Ｄ２においてパッド３３Ｐと所定の間隔を空けて向かい合っている。各センシング非接続線５２におけるパッド３３Ｐに近い端と、パッド３３Ｐとの間の隙間の各々がパッド間隙部５３である。各パッド間隙部５３は、表示面１０Ｓの外側に位置している。
【０１２５】
各センシング非接続線５２は、さらに、第１配列方向Ｄ１における途中の部位で、複数の電極線間隙部５４によって、複数のセンシング非接続片５２ａに分けられている。複数の電極線間隙部５４は、パッド間隙部５３よりもパッド３３Ｐから離れた部位にて第１配列方向Ｄ１に沿って並び、かつ、各電極線間隙部５４は、第１配列方向Ｄ１において相互に隣り合う２つのセル２１Ｃの間の全てに位置している。
【０１２６】
各センシング非接続線５２を構成する複数のセンシング非接続片５２ａの各々は、第１配列方向Ｄ１に沿った長さがほぼ等しい。そのため、各センシング非接続片５２ａが向かい合う電極線３１Ｌとの間に形成する寄生容量の大きさがほぼ等しくなる。それゆえに、複数のセル２１Ｃにおいて、寄生容量を含む静電容量の大きさがほぼ等しくなる。
【０１２７】
以上説明したように、第２変形例によれば、上述した（１）から（３）の効果に加えて、以下に記載の効果を得ることができる。
（５）各セル２１Ｃにおける寄生容量の大きさがほぼ等しく、かつ、各セル２１Ｃにおける寄生容量が相互に関わり難くなるため、寄生容量を含む各セル２１Ｃにおける静電容量の大きさがほぼ等しくなる。
【０１２８】
［他の変形例］
上述した第１実施形態、第１変形例、および、第２変形例の各々は、さらに、以下のように適宜変更して実施することもできる。
【０１２９】
・第２変形例では、各ドライブ電極３１ＤＰを構成するドライブ非接続線４２の各々において、第２配列方向Ｄ２に沿って隣り合う２つのセル２１Ｃの間の全てに電極線間隙部４５が位置している。また、各センシング電極３３ＳＰを構成するセンシング非接続線５２の各々において、隣り合う２つのセル２１Ｃの間の全てに電極線間隙部５４が位置している。
【０１３０】
これに限らず、各ドライブ電極３１ＤＰを構成するドライブ非接続線４２の各々において、第２配列方向Ｄ２に沿って隣り合う２つのセル２１Ｃの間における一部に電極線間隙部４５が位置してもよい。また、各センシング電極３３ＳＰを構成するセンシング非接続線５２の各々において、第１配列方向Ｄ１に沿って隣り合う２つのセル２１Ｃの間における一部に電極線間隙部５４が位置してもよい。こうした構成であっても、以下に記載の効果を得ることはできる。
【０１３１】
（６）各非接続線の長さが短くなる分、非接続線において連続する部分の形成する寄生容量が小さくはなる。それゆえに、各セル２１Ｃにおける静電容量の初期値に対して非接続線の及ぼす影響が、さらに抑えられる。
【０１３２】
・第２変形例では、各ドライブ電極３１ＤＰを構成するドライブ非接続線４２の各々において、第２配列方向Ｄ２に沿って隣り合う２つのセル２１Ｃの間の全てに電極線間隙部４５が位置している。また、各センシング電極３３ＳＰを構成するセンシング非接続線５２の各々において、隣り合う２つのセル２１Ｃの間の全てに電極線間隙部５４が位置している。
【０１３３】
これに限らず、電極線間隙部４５は、パッド間隙部４３よりもパッド３１Ｐから離れていれば、第２配列方向Ｄ２に沿って隣り合う２つのセル２１Ｃの間以外の部位に位置してもよい。また、電極線間隙部５４も、パッド間隙部５３よりもパッド３３Ｐから離れていれば、第１配列方向Ｄ１に沿って隣り合う２つのセル２１Ｃの間以外の部位に位置してもよい。こうした構成によれば、上述した（６）に準じた効果を得ることはできる。
【０１３４】
・第２変形例では、各ドライブ電極３１ＤＰを構成するドライブ非接続線４２の途中に電極線間隙部４５が位置し、かつ、各センシング電極３３ＳＰを構成するセンシング非接続線５２の途中に電極線間隙部５４が位置している。これに限らず、各ドライブ電極３１ＤＰを構成するドライブ非接続線４２の途中のみに電極線間隙部４５が位置する構成、あるいは、各センシング電極３３ＳＰを構成するセンシング非接続線５２のみに電極線間隙部５４が位置する構成でもよい。
【０１３５】
・各ドライブ電極３１ＤＰを構成する９本の電極線３１Ｌのうち、第１配列方向Ｄ１における２つの端に位置する電極線３１Ｌの少なくとも一方は、ドライブ非接続線４２であってもよい。また、各センシング電極３３ＳＰを構成する９本の電極線３３Ｌのうち、第２配列方向Ｄ２における２つの端に位置する電極線３３Ｌの少なくとも一方は、センシング非接続線５２であってもよい。こうした構成であっても、各ドライブ電極３１ＤＰがドライブ非接続線４２を備え、また、各センシング電極３３ＳＰがセンシング非接続線５２を備える以上は、上述した（１）に準じた効果を得ることはできる。
【０１３６】
・パッド間隙部４３は、複数のドライブ電極３１ＤＰの中で第１配列方向Ｄ１に沿って不規則に並んでいてもよい。また、パッド間隙部５３は、複数のセンシング電極３３ＳＰの中で第２配列方向Ｄ２に沿って不規則に並んでいてもよい。こうした構成であっても、各ドライブ電極３１ＤＰがドライブ非接続線４２を備え、また、各センシング電極３３ＳＰがセンシング非接続線５２を備える以上は、上述した（１）に準じた効果を得ることはできる。
【０１３７】
・各ドライブ電極３１ＤＰの備えるドライブ非接続線４２の数は、上述した数に限らず、各ドライブ電極３１ＤＰが少なくとも１本のドライブ電極線４１を備えていれば、任意の数であってよい。また、各センシング電極３３ＳＰの備えるセンシング非接続線５２の数は、上述した数に限らず、各センシング電極３３ＳＰが少なくとも１本のセンシング電極線５１を備えていれば、任意の数であってよい。
【０１３８】
・複数のドライブ電極３１ＤＰの各々と、複数のセンシング電極３３ＳＰの各々とが、少なくとも１本の非接続線を備えている。これに限らず、複数のドライブ電極３１ＤＰの各々のみ、あるいは、複数のセンシング電極３３ＳＰの各々のみが、非接続線を備える構成でもよい。こうした構成であっても、複数のドライブ電極３１ＤＰの各々、あるいは、複数のセンシング電極３３ＳＰの各々が非接続線を備える以上は、上述した（１）に準じた効果を得ることはできる。
【０１３９】
・第１変形例では、各ドライブ電極３１ＤＰが２本のドライブ非接続線４２を備え、各センシング電極３３ＳＰが４本のセンシング非接続線５２を備えている。すなわち、各ドライブ電極３１ＤＰの備えるドライブ非接続線４２の数が、各センシング電極３３ＳＰの備えるセンシング非接続線５２の数よりも小さい。これに限らず、各ドライブ電極３１ＤＰの備えるドライブ非接続線４２の数が、各センシング電極３３ＳＰの備えるセンシング非接続線５２の数よりも大きくてもよい。
【０１４０】
・第１変形例におけるタッチセンサ用電極２１と、第２変形例におけるタッチセンサ用電極２１とは、組み合わせて実施することができる。
・各ドライブ電極３１ＤＰは９本の電極線３１Ｌを備え、各センシング電極３３ＳＰは９本の電極線３３Ｌを備えている。これに限らず、各ドライブ電極３１ＤＰは、２本以上８本以下の電極線３１Ｌを備える構成でもよいし、１０本以上の電極線３１Ｌを備える構成でもよい。また、各センシング電極３３ＳＰは、２本以上８本以下の電極線３３Ｌを備える構成でもよいし、１０本以状の電極線３３Ｌを備える構成でもよい。
【０１４１】
・第１実施形態および第２変形例において、各ドライブ電極３１ＤＰにおける複数のパッド間隙部４３、および、各センシング電極３３ＳＰにおける複数のパッド間隙部５３は、表示面１０Ｓの内部に位置してもよい。また、第１変形例において、各ドライブ電極３１ＤＰにおける複数のパッド間隙部４４は、表示面１０Ｓの内部に位置してもよい。
【０１４２】
・第１実施形態、第１変形例、および、第２変形例において、各ドライブ電極３１ＤＰにおけるパッド間隙部４３は、パッド３１Ｐと最近接セル２１Ｃｄとの間に位置していなくともよく、パッド間隙部４３は、最近接セル２１Ｃｄの内部に位置してもよい。また、複数のパッド間隙部４３において、一部がパッド３１Ｐと最近接セル２１Ｃｄとの間に位置し、かつ、残りの部分が最近接セル２１Ｃｄの内部に位置してもよい。要は、ドライブ電極３１ＤＰを構成する第１線群が、パッド３１Ｐに接続しないドライブ非接続線４２と、パッド３１Ｐに接続するドライブ電極線４１とを含んでいればよい。
【０１４３】
・第１実施形態、第１変形例、および、第２変形例において、各センシング電極３３ＳＰにおけるパッド間隙部５３は、パッド３３Ｐと最近接セル２１Ｃｓとの間に位置していなくともよく、パッド間隙部５３は、最近接セル２１Ｃｓの内部に位置してもよい。また、複数のパッド間隙部５３において、一部がパッド３３Ｐと最近接セル２１Ｃｓとの間に位置し、かつ、残りの部分が最近接セル２１Ｃｓの内部に位置してもよい。要は、センシング電極３３ＳＰを構成する第２線群が、パッド３３Ｐに接続しないセンシング非接続線５２と、パッド３３Ｐに接続するセンシング電極線５１とを含んでいればよい。
【０１４４】
・第１実施形態、第１変形例、および、第２変形例では、第１帯状電極の一例は、ドライブ電極３１ＤＰではなく、センシング電極３３ＳＰであってもよい。こうした構成であれば、第２帯状電極の一例がドライブ電極３１ＤＰであり、第１基材の一例が透明誘電体基板３３であり、第２基材の一例が透明基板３１である。
【０１４５】
［第２実施形態］
図１０および図１１を参照して、タッチセンサ用電極、タッチパネル、および、表示装置を具体化した第２実施形態を説明する。第２実施形態は、上述した第１実施形態と比べて、各ドライブ電極３１ＤＰの構成、および、各センシング電極３３ＳＰの構成が異なっている。そのため、以下では、こうした相違点を詳しく説明し、第１実施形態と同等の構成には、図５などと同じ符号を付すことで、詳細な説明を省略する。また、以下では、ドライブ電極の構成、および、センシング電極の構成を順番に説明する。
【０１４６】
［ドライブ電極の構成］
図１０を参照してドライブ電極の構成を説明する。図１０は、ドライブ電極３１ＤＰの平面構造を示す平面図であり、図１０では、ドライブ電極３１ＤＰの備える電極線の配置を説明する便宜上、電極線の線幅が誇張して示されている。
【０１４７】
タッチセンサ用電極２１の備える複数のドライブ電極３１ＤＰの各々は、複数の電極線を備えている。各ドライブ電極３１ＤＰにおける複数の電極線は、複数のドライブ電極３１ＤＰと複数のセンシング電極３３ＳＰとが積層される方向から見て、複数のセンシング電極３３ＳＰの各々が備える複数の電極線とともに格子形状を形成する。すなわち、各ドライブ電極３１ＤＰの備える複数の電極線は、格子形状の一部に倣う形状である。格子形状は、第１配列方向Ｄ１に沿って等しい間隔を空けて並び、かつ、第１配列方向Ｄ１、および、第２配列方向Ｄ２に対して傾きを有した複数の第１基準直線と、第２配列方向Ｄ２に沿って等しい間隔を空けて並び、第１基準直線と直交する複数の第２基準直線とから構成される。
【０１４８】
図１０が示すように、１つのドライブ電極３１ＤＰは、第１配列方向Ｄ１に沿って間隔を空けて並ぶ複数のパッド３１Ｐのうちの１つを備えている。１つのドライブ電極３１ＤＰは、さらに、第１配列方向Ｄ１と所定の角度である対向角度θ１を形成する第１延在方向に沿って延びる直線形状を有する複数の主電極線６１Ｌと、主電極線６１Ｌと直交する方向である第２延在方向に沿って延びる直線形状を有する複数の副電極線６２Ｌとから構成される第１線群を備えている。対向角度θ１は、９０°よりも小さい角度である。１つのドライブ電極３１ＤＰは、第２配列方向Ｄ２に沿って延びる第１帯状電極の一例である。複数のドライブ電極３１ＤＰは、第１配列方向Ｄ１に沿って間隔を空けて並んでいる。
【０１４９】
第１配列方向Ｄ１に沿って相互に隣り合う主電極線６１Ｌは、第２延在方向に沿って第１間隔Ｓ１を空け、かつ、第１延在方向に沿って延びている。複数の副電極線６２Ｌのうち、第２配列方向Ｄ２に沿って相互に隣り合う２本の副電極線６２Ｌは、第２配列方向Ｄ２に沿って第２間隔Ｓ２を空けている。
【０１５０】
１つのドライブ電極３１ＤＰにおいて、第１配列方向Ｄ１に沿って並ぶ２つの副電極線６２Ｌは、１つの副電極線対を構成している。第２配列方向Ｄ２に沿って相互に隣り合う２つの副電極線対は、第２配列方向Ｄ２に沿って第２間隔Ｓ２を空けている。以下、１つのドライブ電極３１ＤＰにおいて、パッド３１Ｐに近い副電極線対から順番に、１行目の副電極線対、２行目の副電極線対、…、ｎ行目の副電極線対（ｎは３以上の整数）という。
【０１５１】
１つのドライブ電極３１ＤＰにおいて、１つの副電極線６２Ｌは、第１配列方向Ｄ１に沿って相互に隣り合う３本の主電極線６１Ｌに接続している。また、１つの副電極線対は、第１配列方向Ｄ１に沿って相互に隣り合う５本の主電極線６１Ｌに接続している。５本の主電極線６１Ｌの中では、１本の主電極線６１Ｌのみが、第２配列方向Ｄ２に沿って第２間隔Ｓ２以上の長さを有している。そして、ｋ行目の副電極線対とｋ＋１行目の副電極線対とは（ｋは１以上ｎ以下の整数）、第２配列方向Ｄ２に沿って第２間隔Ｓ２以上の長さを有する１本の主電極線６１Ｌによって接続している。
【０１５２】
例えば、１つのパッド３１Ｐには、５本の主電極線６１Ｌが接続し、これら５本の主電極線６１Ｌは、１行目の副電極線対によって電気的に接続されている。一方で、パッド３１Ｐに接続する５本の主電極線６１Ｌの中で、第１配列方向Ｄ１の端に位置する１本の主電極線６１Ｌのみが、第２配列方向Ｄ２に沿って第２間隔Ｓ２以上の長さを有している。そして、１つのパッド３１Ｐに接続する５本の主電極線６１Ｌの中で、第１配列方向Ｄ１の端に位置する１本の主電極線６１Ｌのみが、２行目の副電極線対に接続している。
【０１５３】
また、２行目の副電極線対には、５本の主電極線６１Ｌが接続し、これら５本の主電極線６１Ｌは、２行目の副電極線対によって電気的に接続されている。一方で、２行目の副電極線対に接続する５本の主電極線６１Ｌの中で、これもまた第１配列方向Ｄ１の端に位置する１本の主電極線６１Ｌのみが、３行目の副電極線対に向けて第２間隔Ｓ２以上の長さを有している。そして、２行目の副電極線対に接続する５本の主電極線６１Ｌの中で、第１配列方向Ｄ１の端に位置する１本の主電極線６１Ｌのみが、３行目の副電極線対に接続している。
【０１５４】
こうした主電極線６１Ｌの配置と、副電極線６２Ｌの配置とは、第２配列方向Ｄ２に沿って副電極線対の行ごとに繰り返されている。そして、図１０にてドットが示すように、パッド３１Ｐに電気的に接続する接続電極線の一例であるドライブ電極線が、複数の主電極線６１Ｌと複数の副電極線６２Ｌとから構成されている。
【０１５５】
１つのドライブ電極３１ＤＰを構成する複数の主電極線６１Ｌは、パッド３１Ｐに電気的に接続していない複数のドライブ非接続線６３を含んでいる。各ドライブ非接続線６３は、１つのドライブ電極３１ＤＰの中で、第２配列方向Ｄ２にて相互に隣り合う２つの副電極線対に挟まれている。
【０１５６】
各ドライブ非接続線６３は、２つの間隙部６４によって、副電極線対から離れ、パッド３１Ｐに対して電気的に接続していない。各間隙部６４は、第２配列方向Ｄ２にて相互に隣り合う２つの副電極線対に挟まれる部分に位置している。間隙部６４は、第１間隙部の一例である。
【０１５７】
例えば、１つのパッド３１Ｐに接続する５本の主電極線６１Ｌの中で、２番目の主電極線６１Ｌと、３番目の主電極線６１Ｌとは、１行目の副電極線対と２行目の副電極線対との間において、ドライブ非接続線６３として機能している。また、２行目の副電極線対に接続する５本の主電極線６１Ｌの中で、これもまた２番目の主電極線６１Ｌと、３番目の主電極線６１Ｌとは、２行目の副電極線対と３行目の副電極線対との間において、ドライブ非接続線６３として機能している。
【０１５８】
こうした主電極線６１Ｌにおけるドライブ非接続線６３の設定は、第２配列方向Ｄ２に沿って副電極線対の行ごとに繰り返されている。そして、図８にて白抜き線が示すように、パッド３１Ｐに対して電気的に接続していないドライブ非接続線６３が、複数の主電極線６１Ｌから構成されている。そして、各ドライブ電極３１ＤＰにおいて、複数の主電極線６１Ｌのうち、複数のドライブ非接続線６３を除く部分と、複数の副電極線６２Ｌとによって、パッド３１Ｐに接続しているドライブ電極線が構成されている。
【０１５９】
各ドライブ電極３１ＤＰにおける複数の間隙部６４の各々は、複数の主電極線６１Ｌ、および、複数の副電極線６２Ｌと同時に形成されてもよい。このとき、例えば、複数の主電極線６１Ｌ、複数の副電極線６２Ｌ、および、複数の間隙部６４に対応する開口部を有するマスクを用いたスパッタ法が用いられる。そして、間隙部６４の数や位置の変更は、主電極線６１Ｌと副電極線６２Ｌとの接続部位に対応するマスクの設定を変えることで足りる。それゆえに、タッチセンサ用電極２１における静電容量の至適範囲が変わるとしても、電極線３１Ｌに対して幅、位置、数などの構造上の変更を強いられることはない。
【０１６０】
もしくは、各ドライブ電極３１ＤＰにおける複数の間隙部６４の各々は、複数の主電極線６１Ｌ、および、複数の副電極線６２Ｌとは別に形成されてもよい。このとき、まず、各種の方法で複数の主電極線６１Ｌ、および、複数の副電極線６２Ｌが形成され、次いで、複数の主電極線６１Ｌの一部が、エッチング法やレーザーアブレーション法によって切断されることで、複数の間隙部６４が形成される。そして、間隙部６４の数や位置の変更は、切断位置の設定を変えることで足りる。それゆえに、タッチセンサ用電極２１の静電容量の至適範囲が変わるとしても、電極線３１Ｌに対して幅、位置、および、数などの構造上の変更を強いられることはない。
【０１６１】
［センシング電極］
図１１を参照してセンシング電極の構成を説明する。図１１は、センシング電極３３ＳＰの平面構造を示す平面図であり、図１１では、センシング電極３３ＳＰの備える電極線の配置を説明する便宜上、電極線の線幅が誇張して示されている。
【０１６２】
タッチセンサ用電極２１の備える複数のセンシング電極３３ＳＰの各々は、ドライブ電極３１ＤＰと同様、複数の電極線を備えている。複数のセンシング電極３３ＳＰにおける電極線は、上述したように、複数のドライブ電極３１ＤＰと複数のセンシング電極３３ＳＰとが積層される方向から見て、複数のドライブ電極３１ＤＰの各々が備える複数の電極線とともに格子形状を形成する。すなわち、各センシング電極３３ＳＰの備える複数の電極線は、格子形状の一部であって、上述した各ドライブ電極３１ＤＰの備える複数の電極線とは異なる部分に倣う形状である。
【０１６３】
図１１が示すように、１つのセンシング電極３３ＳＰは、第２配列方向Ｄ２に沿って間隔を空けて並ぶ複数のパッド３３Ｐのうちの１つを備えている。１つのセンシング電極３３ＳＰは、さらに、第２配列方向Ｄ２と上述の対向角度θ１を形成する方向である上述した第２延在方向に沿って延びる直線形状を有する複数の主電極線７１Ｌを備えている。１つのセンシング電極３３ＳＰは、さらに、主電極線７１Ｌと直交する方向であって、上述した第１延在方向に沿って延びる直線形状を有する複数の副電極線７２Ｌを備えている。１つのセンシング電極３３ＳＰは、第１配列方向Ｄ１に沿って延びる第２帯状電極の一例である。複数のセンシング電極３３ＳＰの各々は、第２配列方向Ｄ２に沿って間隔を空けて並んでいる。
【０１６４】
第２配列方向Ｄ２に沿って相互に隣り合う主電極線７１Ｌは、第１延在方向に沿って第１間隔Ｓ１を空け、かつ、第２延在方向に沿って延びている。複数の副電極線７２Ｌのうち、第２配列方向Ｄ２に沿って相互に隣り合う２本の副電極線７２Ｌは、第１配列方向Ｄ１に沿って第２間隔Ｓ２を空けている。
【０１６５】
１つのセンシング電極３３ＳＰにおいて、第２配列方向Ｄ２に沿って並ぶ２つの副電極線７２Ｌは、１つの副電極線対を構成している。第１配列方向Ｄ１に沿って相互に隣り合う２つの副電極線対は、第１配列方向Ｄ１に沿って第２間隔Ｓ２を空けている。以下、１つのセンシング電極３３ＳＰにおいて、パッド３３Ｐに近い副電極線対から順番に、１行目の副電極線対、２行目の副電極線対、…、ｍ行目の副電極線対（ｍは３以上の整数）という。
【０１６６】
１つのセンシング電極３３ＳＰにおいて、１つの副電極線７２Ｌは、第２配列方向Ｄ２に沿って相互に隣り合う３本の主電極線７１Ｌに接続している。また、１つの副電極線対は、第２配列方向Ｄ２に沿って相互に隣り合う５本の主電極線７１Ｌに接続している。５本の主電極線７１Ｌの中では、１本の主電極線７１Ｌのみが、第１配列方向Ｄ１に沿って第２間隔Ｓ２以上の長さを有している。そして、ｊ行目の副電極線対とｊ＋１行目の副電極線対とは（ｊは１以上ｍ以下の整数）、第１配列方向Ｄ１に沿って第２間隔Ｓ２以上の長さを有する１本の主電極線７１Ｌによって接続している。
【０１６７】
例えば、１つのパッド３３Ｐには、５本の主電極線７１Ｌが接続し、これら５本の主電極線７１Ｌは、１行目の副電極線対によって電気的に接続されている。一方で、パッド３３Ｐに接続する５本の主電極線７１Ｌの中で、第２配列方向Ｄ２の中央に位置する１本の主電極線７１Ｌのみが、第１配列方向Ｄ１に沿って第２間隔Ｓ２以上の長さを有している。そして、１つのパッド３３Ｐに接続する５本の主電極線７１Ｌの中で、第２配列方向Ｄ２の中央に位置する１本の主電極線７１Ｌのみが、２行目の副電極線対に接続している。
【０１６８】
また、２行目の副電極線対には、５本の主電極線７１Ｌが接続し、これら５本の主電極線６１Ｌは、２行目の副電極線対によって電気的に接続されている。一方で、２行目の副電極線対に接続する５本の主電極線７１Ｌの中で、これもまた第２配列方向Ｄ２の中央に位置する１本の主電極線７１Ｌのみが、３行目の副電極線対に向けて第２間隔Ｓ２以上の長さを有している。そして、２行目の副電極線対に接続する５本の主電極線７１Ｌの中で、第２配列方向Ｄ２の中央に位置する１本の主電極線７１Ｌのみが、３行目の副電極線対に接続している。
【０１６９】
こうした主電極線７１Ｌの配置と、副電極線７２Ｌの配置とは、第１配列方向Ｄ１に沿って副電極線対の行ごとに繰り返されている。そして、図１１にてドットで示すように、パッド３３Ｐに電気的に接続する接続電極線の一例であるセンシング電極線が、複数の主電極線７１Ｌと複数の副電極線７２Ｌとから構成されている。
【０１７０】
１つのセンシング電極３３ＳＰを構成する複数の主電極線７１Ｌは、パッド３３Ｐに接続していない複数のセンシング非接続線７３を含んでいる。各センシング非接続線７３は、１つのセンシング電極３３ＳＰの中で、第１配列方向Ｄ１にて相互に隣り合う２つの副電極線対に挟まれている。
【０１７１】
各センシング非接続線７３は、２つの間隙部７４によって、副電極線対から離れ、パッド３３Ｐに対して電気的に接続していない。各間隙部７４は、第１配列方向Ｄ１にて相互に隣り合う２つの副電極線対に挟まれる部位に位置している。間隙部７４は、第２間隙部の一例である。
【０１７２】
例えば、１つのパッド３３Ｐに接続する５本の主電極線７１Ｌの中で、１番目の主電極線７１Ｌと、２番目の主電極線７１Ｌとは、１行目の副電極線対と２行目の副電極線対との間において、センシング非接続線７３として機能している。また、２行目の副電極線対に接続する５本の主電極線７１Ｌの中で、これもまた１番目の主電極線７１Ｌと、２番目の主電極線７１Ｌとは、２行目の副電極線対と３行目の副電極線対との間において、センシング非接続線７３として機能している。
【０１７３】
こうした主電極線７１Ｌにおけるセンシング非接続線７３の設定は、第１配列方向Ｄ１に沿って副電極線対の行ごとに繰り返されている。そして、図１１にて白抜き線が示すように、パッド３３Ｐに対して電気的に接続していないセンシング非接続線７３が、複数の主電極線７１Ｌから構成されている。そして、各センシング電極３３ＳＰにおいて、複数の主電極線７１Ｌのうち、複数のセンシング非接続線７３を除く部分と、複数の副電極線７２Ｌとによって、パッド３３Ｐに接続しているセンシング電極線が構成されている。
【０１７４】
各センシング電極３３ＳＰにおける複数の間隙部７４の各々は、複数の主電極線７１Ｌ、および、複数の副電極線７２Ｌと同時に形成されてもよい。このとき、例えば、複数の主電極線７１Ｌ、複数の副電極線７２Ｌ、および、複数の間隙部７４に対応する開口部を有するマスクを用いたスパッタ法が用いられる。そして、間隙部７４の数や位置の変更は、主電極線７１Ｌと副電極線７２Ｌとの接続部位に対応するマスクの変更を変えることで足りる。それゆえに、タッチセンサ用電極２１における静電容量の至適範囲が変わるとしても、電極線３３Ｌに対して幅、位置、および、数などの構造上の変更を強いられることはない。
【０１７５】
もしくは、各センシング電極３３ＳＰにおける複数の間隙部７４の各々は、複数の主電極線７１Ｌ、および、複数の副電極線７２Ｌとは別に形成されてもよい。このとき、まず、各種の方法で複数の主電極線７１Ｌ、および、複数の副電極線７２Ｌが形成され、次いで、複数の主電極線７１Ｌの一部が、エッチング法やレーザーアブレーション法によって切断されることで、複数の間隙部７４が形成される。そして、間隙部７４の数や位置の変更は、切断位置の設定を変えることで足りる。それゆえに、タッチセンサ用電極２１における静電容量の至適範囲が変わるとしても、電極線３３Ｌに対して幅、位置、および、数などの構造上の変更を強いられることはない。
【０１７６】
［タッチセンサ用電極］
図１２を参照してタッチセンサ用電極２１の構成の一部を説明する。図１２は、ドライブ電極３１ＤＰとセンシング電極３３ＳＰとをドライブ電極３１ＤＰとセンシング電極３３ＳＰとの積層される方向から見た平面図である。なお、図１２では、ドライブ電極３１ＤＰ、および、センシング電極３３ＳＰの配置を説明する便宜上、ドライブ電極３１ＤＰの備える電極線の線幅、および、センシング電極３３ＳＰの備える電極線の線幅が誇張して示されている。さらに、図１２では、ドライブ電極３１ＤＰと、センシング電極３３ＳＰとの区別を簡単にするために、ドライブ電極３１ＤＰが細線で示される一方、センシング電極３３ＳＰが太線で示されている。
【０１７７】
図１２が示すように、複数のドライブ電極３１ＤＰと、複数のセンシング電極３３ＳＰとは、複数のドライブ電極３１ＤＰと、複数のセンシング電極３３ＳＰとが積層される方向であって、透明誘電体基板３３と対向する平面視方向から見て、格子形状を形成する。このとき、透明誘電体基板３３と対向する平面視方向から見て、１つのドライブ電極３１ＤＰを構成する複数の主電極線６１Ｌの各々が、各センシング電極３３ＳＰの備える複数の主電極線７１Ｌの一部と立体的に交差する。これにより、第１配列方向Ｄ１において相互に隣り合うドライブ電極３１ＤＰの間の各々、および、第２配列方向Ｄ２において相互に隣り合うセンシング電極３３ＳＰの間の各々を除く部分に、格子形状が形成される。
【０１７８】
これに対して、各ドライブ電極３１ＤＰでは、複数の副電極線６２Ｌの各々が、第２配列方向Ｄ２における相互に隣り合うセンシング電極３３ＳＰの間に位置する。そして、複数の副電極線６２Ｌの各々が、複数のセンシング電極３３ＳＰの中で、第２延在方向に沿って隣り合う主電極線７１Ｌの間を埋める。結果として、第２配列方向Ｄ２において相互に隣り合うセンシング電極３３ＳＰの間の各々に、格子形状が形成される。
【０１７９】
一方、１つのセンシング電極３３ＳＰを構成する複数の副電極線７２Ｌの各々が、第１配列方向Ｄ１における相互に隣り合うドライブ電極３１ＤＰの間に位置する。そして、複数の副電極線７２Ｌの各々が、複数のドライブ電極３１ＤＰの中で、第１延在方向に沿って隣り合う主電極線６１Ｌの間を埋める。結果として、第１配列方向Ｄ１において相互に隣り合うドライブ電極３１ＤＰの間の各々に、格子形状が形成される。
【０１８０】
タッチセンサ用電極２１には、複数のセル２１Ｃが設定されている。各セル２１Ｃは、透明誘電体基板３３と対向する平面視において、１つのドライブ電極３１ＤＰと、１つのセンシング電極３３ＳＰとが、立体的に交差する領域である。そのため、複数のドライブ電極３１ＤＰの各々において、複数のセル２１Ｃは、ドライブ電極３１ＤＰの並ぶ第１配列方向Ｄ１と直交する第２配列方向Ｄ２に沿って並ぶ。これに対して、複数のセンシング電極３３ＳＰの各々において、複数のセル２１Ｃは、センシング電極３３ＳＰの並ぶ第２配列方向Ｄ２と直交する第１配列方向Ｄ１に沿って並ぶ。各セル２１Ｃは、表示面１０Ｓの内部に位置している。
【０１８１】
ドライブ電極３１ＤＰごとにパッド３１Ｐに最も近接するセル２１Ｃが、最近接セル２１Ｃｄである。各ドライブ電極３１ＤＰを構成する主電極線６１Ｌの群は、パッド３１Ｐに接続しないドライブ非接続線６３を各セル２１Ｃに含む。各ドライブ電極３１ＤＰにおいて、複数のパッド間隙部６４ａのうち、３番目の主電極線６１Ｌを副電極線対から切断するパッド間隙部６４ａは、最近接セル２１Ｃｄの内部に位置している。一方で、２番目の主電極線６１Ｌを副電極線対から切断するパッド間隙部６４ａは、最近接セル２１Ｃｄとパッド３３Ｐとの間に位置している。そして、パッド間隙部６４ａを除く複数の間隙部６４には、セル２１Ｃの内部に位置する間隙部６４と、２つのセル２１Ｃの間に位置する間隙部６４とが含まれる。
【０１８２】
一方で、センシング電極３３ＳＰごとにパッド３３Ｐに最も近接するセル２１Ｃが、最近接セル２１Ｃｓである。各センシング電極３３ＳＰを構成する主電極線７１Ｌの群は、パッド３３Ｐに接続しないセンシング非接続線７３を各セル２１Ｃに含む。各センシング電極３３ＳＰにおいて、複数のパッド間隙部７４ａは、最近接セル２１Ｃｓの内部に位置している。そして、パッド間隙部７４ａを除く複数の間隙部７４には、セル２１Ｃの内部に位置する間隙部７４と、２つのセル２１Ｃの間に位置する間隙部７４とが含まれる。
【０１８３】
タッチセンサ用電極２１において、各ドライブ電極３１ＤＰが複数のドライブ非接続線６３を含み、かつ、各センシング電極３３ＳＰが複数のセンシング非接続線７３を含んでいる。そのため、各ドライブ電極３１ＤＰがドライブ非接続線を含まず、かつ、各センシング電極３３ＳＰがセンシング非接続線を含まない構成と比べて、各セル２１Ｃにおける静電容量の初期値は、パッドに電気的に接続していない非接続線の数に応じて小さくなる。それゆえに、各セル２１Ｃにおける静電容量の初期値が、接触による容量の変化分に適した値を超えることが抑えられる。結果として、上述した構成からなるタッチセンサ用電極２１であれば、電極線とパッドとが接続しているか否かという簡単な変更によって、静電容量の初期値を調整することが可能である。すなわち、静電容量の初期値が、接触による容量の変化分に適した値の範囲に含まれやすくなる。
【０１８４】
以上説明したように、第２実施形態によれば、以下に記載の効果を得ることができる。
（７）各セル２１Ｃに含まれる主電極線の群が非接続線を含むことで、主電極線の全てが非接続線を含まない構成と比べて、複数のセル２１Ｃの各々における静電容量の初期値が小さくなる。そして、非接続線の本数が減るような設計の変更や、非接続線の本数が増えるような設計の変更によって、静電容量の初期値を至適な範囲に合わせることが可能である。それゆえに、相互に異なる静電容量の至適範囲に対して、電極線の幅や電極線の本数の変更を強いるような構造上の変更を軽減することができる。
【０１８５】
なお、上述した第２実施形態は、以下のように変更して実施することもできる。
［第３変形例］
図１３を参照して第３変形例を説明する。第３変形例は、上述した第２実施形態と比べて、複数のセンシング電極３３ＳＰの各々における間隙部の数が異なる。そのため、以下では、こうした相違点を詳しく説明し、第２実施形態と同等の構成には、図１２と同じ符号を付すことで、詳細な説明を省略する。
【０１８６】
図１３は、図１２と同様、ドライブ電極３１ＤＰとセンシング電極３３ＳＰとをドライブ電極３１ＤＰとセンシング電極３３ＳＰとの積層される方向から見た平面図である。なお、図１３では、図１２と同様、ドライブ電極３１ＤＰの備える電極線の線幅、および、センシング電極３３ＳＰの備える電極線の線幅が誇張して示されている。さらに、図１３では、ドライブ電極３１ＤＰと、センシング電極３３ＳＰとの区別を簡単にするために、ドライブ電極３１ＤＰが細線で示される一方、センシング電極３３ＳＰが太線で示されている。
【０１８７】
図１３が示すように、１つのセンシング電極３３ＳＰは、１つのパッド３３Ｐと、複数の主電極線７１Ｌと、複数の副電極線７２Ｌとを備えている。１つのセンシング電極３３ＳＰは、第１配列方向Ｄ１に沿って延びる第２帯状電極の一例である。複数のセンシング電極３３ＳＰの各々は、第２配列方向Ｄ２に沿って間隔を空けて並んでいる。
【０１８８】
１つのパッド３３Ｐには、５本の主電極線７１Ｌが接続し、これら５本の主電極線７１Ｌは、１行目の副電極線対によって電気的に接続されている。一方で、パッド３３Ｐに接続する５本の主電極線７１Ｌの中で、第２配列方向Ｄ２の端に位置する１本の主電極線７１Ｌと、第２配列方向Ｄ２の中央に位置する１本の主電極線７１Ｌとが、第１配列方向Ｄ１に沿って第２間隔Ｓ２以上の長さを有している。そして、１つのパッド３３Ｐに接続する５本の主電極線７１Ｌの中で、第２配列方向Ｄ２の端に位置する１本の主電極線７１Ｌと、中央に位置する１本の主電極線７１Ｌのみが、２行目の副電極線対に接続している。
【０１８９】
また、２行目の副電極線対には、５本の主電極線７１Ｌが接続し、これら５本の主電極線７１Ｌは、２行目の副電極線対によって電気的に接続されている。一方で、２行目の副電極線対に接続する５本の主電極線７１Ｌの中で、これもまた第２配列方向Ｄ２の端に位置する１本の主電極線７１Ｌと、中央に位置する１本の主電極線７１Ｌとが、３行目の副電極線対に向けて第２間隔Ｓ２以上の長さを有している。そして、２行目の副電極線対に接続する５本の主電極線７１Ｌの中で、第２配列方向Ｄ２の端に位置する１本の主電極線７１Ｌと、第２配列方向Ｄ２の中央に位置する１本の主電極線７１Ｌとが、３行目の副電極線対に接続している。
【０１９０】
こうした主電極線７１Ｌの配置と、副電極線７２Ｌの配置とは、第１配列方向Ｄ１に沿って副電極線対の行ごとに繰り返されている。
１つのセンシング電極３３ＳＰを構成する複数の主電極線７１Ｌは、パッド３３Ｐに接続していない複数のセンシング非接続線７３を含んでいる。各センシング非接続線７３は、１つのセンシング電極３３ＳＰの中で、第１配列方向Ｄ１にて相互に隣り合う２つの副電極線対に挟まれている。
【０１９１】
各センシング非接続線７３は、２つの間隙部７４によって、副電極線対から離れ、パッド３３Ｐに対して電気的に接続していない。各間隙部７４は、第１配列方向Ｄ１にて相互に隣り合う２つの副電極線対に挟まれる部位に位置している。
【０１９２】
１つのパッド３３Ｐに接続する５本の主電極線７１Ｌの中で、２番目の主電極線７１Ｌは、１行目の副電極線対と２行目の副電極線対との間において、センシング非接続線７３として機能している。また、２行目の副電極線対に接続する５本の主電極線７１Ｌの中で、これもまた２番目の主電極線７１Ｌは、２行目の副電極線対と３行目の副電極線対との間において、センシング非接続線７３として機能している。
【０１９３】
こうした主電極線７１Ｌにおけるセンシング非接続線７３の設定は、第１配列方向Ｄ１に沿って副電極線対の行ごとに繰り返されている。
このように、第３変形例の複数のセンシング電極３３ＳＰの各々は、第２実施形態の複数のセンシング電極３３ＳＰの各々とは異なり、１つの副電極線対に接続する５本の主電極線７１Ｌの中で、２番目の主電極線７１Ｌのみがセンシング非接続線７３として機能している。そのため、各セル２１Ｃには、ドライブ電極３１ＤＰの備える２本のドライブ非接続線６３と、センシング電極３３ＳＰの備える１本のセンシング非接続線７３とが含まれる。つまり、各セル２１Ｃにおいて、ドライブ電極３１ＤＰの備えるドライブ非接続線６３の数と、センシング電極３３ＳＰの備えるセンシング非接続線７３の数とが相互に異なる。
【０１９４】
これにより、第３変形例のタッチセンサ用電極２１では、第２実施形態におけるタッチセンサ用電極２１と、各セル２１Ｃにおける静電容量の初期値が異なる。このように、各セル２１Ｃに含まれる非接続線の数が変わることによって、各セル２１Ｃの静電容量の初期値が、タッチセンサ用電極２１に接続する周辺回路の仕様に合わせられる。
【０１９５】
以上説明したように、第３変形例によれば、上述した（４）に準じた効果を得ることができる。
［第４変形例］
図１４から図１６を参照して第４変形例を説明する。第４変形例は、上述した第２実施形態と比べて、各ドライブ電極３１ＤＰを構成する複数の電極線の配置、および、各センシング電極３３ＳＰを構成する複数の電極線の配置が異なる。そのため、以下では、こうした相違点を詳しく説明し、第２実施形態と同等の構成には、図１０などと同じ符号を付すことで、詳細な説明を省略する。
【０１９６】
図１４は、図１０と同様、ドライブ電極３１ＤＰの平面構造を示す平面図であり、図１４では、ドライブ電極３１ＤＰの備える電極線の配置を説明する便宜上、電極線の線幅が誇張して示されている。図１５は、図１１と同様、センシング電極３３ＳＰの平面構造を示す平面図であり、図１５は、センシング電極３３ＳＰの備える電極線の配置を説明する便宜上、電極線の線幅が誇張して示されている。
【０１９７】
図１６は、図１２と同様、ドライブ電極３１ＤＰとセンシング電極３３ＳＰとをドライブ電極３１ＤＰとセンシング電極３３ＳＰとの積層される方向から見た平面図である。なお、図１６では、ドライブ電極３１ＤＰ、および、センシング電極３３ＳＰの配置を説明する便宜上、ドライブ電極３１ＤＰの備える電極線の線幅、および、センシング電極３３ＳＰの備える電極線の線幅が誇張して示されている。さらに、図１６では、ドライブ電極３１ＤＰと、センシング電極３３ＳＰとの区別を簡単にするために、ドライブ電極３１ＤＰが細線で示される一方、センシング電極３３ＳＰが太線で示されている。
【０１９８】
各ドライブ電極３１ＤＰにおける複数の電極線は、第２実施形態と同様、複数のドライブ電極３１ＤＰと複数のセンシング電極３３ＳＰとが積層される方向から見て、複数のセンシング電極３３ＳＰの各々が備える複数の電極線とともに格子形状を形成する。すなわち、各ドライブ電極３１ＤＰの備える複数の電極線は、格子形状の一部に倣う形状であり、各センシング電極３３ＳＰの備える複数の電極線は、格子形状の残りの部分に倣う形状である。そして、格子形状は、第１配列方向Ｄ１に沿って等しい間隔を空けて並び、かつ、第１配列方向Ｄ１、および、第２配列方向Ｄ２に対して傾きを有した複数の第３基準直線と、第３基準直線と直交する複数の第４基準直線とから構成される。
【０１９９】
図１４が示すように、１つのドライブ電極３１ＤＰは、第１配列方向Ｄ１に沿って間隔を空けて並ぶ複数のパッド３１Ｐのうちの１つを備えている。１つのドライブ電極３１ＤＰは、さらに、第１配列方向Ｄ１と所定の対向角度θ２を形成する第３延在方向に沿って延びる直線形状を有する複数の主電極線８１Ｌと、主電極線８１Ｌと直交する方向である第４延在方向に沿って延びる直線形状を有する複数の副電極線８２Ｌとを備えている。対向角度θ２は、９０°よりも小さい角度である。１つのドライブ電極３１ＤＰは、第２配列方向Ｄ２に沿って延びる第１帯状電極の一例である。複数のドライブ電極３１ＤＰの各々は、第１配列方向Ｄ１に沿って間隔を空けて並んでいる。
【０２００】
第１配列方向Ｄ１に沿って相互に隣り合う主電極線８１Ｌは、第３延在方向に沿って第３間隔Ｓ３を空け、かつ、第４延在方向に沿って延びている。複数の主電極線８１Ｌのうち、２つの端のうちの一方がパッド３１Ｐに接続される１４本の主電極線８１Ｌの各々は、第３延在方向に沿ってパッド３１Ｐに向けて延びる途中で折れ曲がって、第２配列方向Ｄ２に沿ってパッド３１Ｐまで延びている。複数の副電極線のうち、第２配列方向Ｄ２に沿って相互に隣り合う２本の副電極線８２Ｌは、第２配列方向Ｄ２に沿って第４間隔Ｓ４を空けている。
【０２０１】
１つのドライブ電極３１ＤＰにおいて、第１配列方向Ｄ１に沿って並ぶ７つの副電極線８２Ｌは、１つの副電極線群を構成している。第２配列方向Ｄ２に沿って相互に隣り合う２つの副電極線群は、第２配列方向Ｄ２に沿って第４間隔Ｓ４を空けている。以下、１つのドライブ電極３１ＤＰにおいて、パッド３１Ｐに近い副電極線群から順番に、１行目の副電極線群、２行目の副電極線群、…、ｎ行目の副電極線群（ｎは３以上の整数）という。
【０２０２】
１つのドライブ電極３１ＤＰにおいて、１行目の副電極線群のうち、第１配列方向Ｄ１における右側の端に位置する副電極線８２Ｌ以外の６本の副電極線８２Ｌの各々は、第４延在方向に沿ってパッド３１Ｐに向けて延びる途中で折れ曲がって、第２配列方向Ｄ２に沿ってパッド３１Ｐまで延びている。１行目の副電極線群に含まれる副電極線８２Ｌの各々は、第４延在方向に沿って延びる部分において、第１配列方向Ｄ１に沿って相互に隣り合う２本の主電極線８１Ｌに接続している。一方で、２行目以降の副電極線群に含まれる副電極線８２Ｌの各々は、第２配列方向Ｄ２において第１配列方向Ｄ１に沿って相互に隣り合う３本の主電極線８１Ｌと向かい合っている。
【０２０３】
また、１つの副電極線群は、第２配列方向Ｄ２において第１配列方向Ｄ１に沿って相互に隣り合う１４本の主電極線８１Ｌと向かい合っている。１４本の主電極線８１Ｌの中では、５本の主電極線８１Ｌが、第２配列方向Ｄ２に沿って第４間隔Ｓ４以上の長さを有している。そして、ｋ行目の副電極線対とｋ＋１行目の副電極線対とは（ｋは１以上ｎ以下の整数）、第２配列方向Ｄ２に沿って第４間隔Ｓ４以上の長さを有する５本の主電極線８１Ｌによって接続している。
【０２０４】
例えば、１つのパッド３１Ｐには、第２配列方向Ｄ２において１４本の主電極線８１Ｌが接続し、これら１４本の主電極線８１Ｌのうち、第１配列方向Ｄ１に沿って相互に隣り合う２本の主電極線８１Ｌが、１つの副電極線８２Ｌによって電気的に接続されている。一方で、パッド３１Ｐに接続する１４本の主電極線８１Ｌの中で、第１配列方向Ｄ１の端に位置する主電極線８１Ｌ、３番目の主電極線８１Ｌ、５番目の主電極線８１Ｌ、７番目の主電極線８１Ｌ、および、８番目の主電極線８１Ｌが、第２配列方向に沿って第４間隔Ｓ４以上の長さを有している。そして、１つのパッド３１Ｐに接続する１４本の主電極線８１Ｌの中で、第１配列方向Ｄ１の端に位置する主電極線８１Ｌ、３番目の主電極線８１Ｌ、５番目の主電極線８１Ｌ、７番目の主電極線８１Ｌ、および、８番目の主電極線８１Ｌが、２行目の副電極線群に接続している。
【０２０５】
また、２行目の副電極線群には、第２配列方向Ｄ２において１４本の主電極線８１Ｌが向かい合い、これら１４本の主電極線８１Ｌの一部は、２行目の副電極線群によって電気的に接続されている。一方で、２行目の副電極線群に接続する複数の主電極線８１Ｌの中で、これもまた第１配列方向Ｄ１の端に位置する主電極線８１Ｌ、３番目の主電極線８１Ｌ、５番目の主電極線８１Ｌ、７番目の主電極線８１Ｌ、および、８番目の主電極線８１Ｌが、３行目の副電極線群に向けて第４間隔Ｓ４以上の長さを有している。そして、第２配列方向において２行目の副電極線群に向かい合う１４本の主電極線８１Ｌの中で、第１配列方向Ｄ１の端に位置する主電極線８１Ｌと、３番目の主電極線８１Ｌ、５番目の主電極線８１Ｌ、７番目の主電極線８１Ｌ、および、８番目の主電極線８１Ｌが、３行目の副電極線群に接続している。
【０２０６】
こうした主電極線８１Ｌの配置と、副電極線８２Ｌの配置とは、第２配列方向Ｄ２に沿って副電極線群の行ごとに繰り返されている。そして、図１２にてドットが示すように、パッド３１Ｐに電気的に接続する接続電極線の一例であるドライブ電極線が、複数の主電極線８１Ｌと複数の副電極線８２Ｌとから構成されている。
【０２０７】
１つのドライブ電極３１ＤＰを構成する複数の主電極線８１Ｌは、パッド３１Ｐに電気的に接続していない複数のドライブ非接続線８３を含んでいる。各ドライブ非接続線８３は、１つのドライブ電極３１ＤＰの中で、第２配列方向Ｄ２にて相互に隣り合う２つの副電極線群に挟まれている。
【０２０８】
複数のドライブ非接続線８３の一部は、２つの間隙部８４によって、副電極線群から離れ、パッド３１Ｐに対して電気的に接続していない。一方で、複数のドライブ非接続線８３の残りの部分において、２つの端のうちの一方は、１つの間隙部８４によって副電極線群から離れ、かつ、他方は、副電極線群から離れた位置に配置されている。各間隙部８４は、第２配列方向Ｄ２にて相互に隣り合う２つの副電極線群に挟まれる部分に位置している。間隙部８４は、第１間隙部の一例である。
【０２０９】
例えば、第１配列方向Ｄ１において１つのパッド３１Ｐに接続する１４本の主電極線８１Ｌの中で、以下の５本の主電極線８１Ｌが、１行目の副電極線対と２行目の副電極線対との間において、ドライブ非接続線８３として機能している。すなわち、第１配列方向Ｄ１における２番目の主電極線６１Ｌ、４番目の主電極線６１Ｌ、６番目の主電極線８１Ｌ、１０番目の主電極線８１Ｌ、および、１２番目の主電極線８１Ｌは、ドライブ非接続線８３として機能している。また、２行目の副電極線群に向かい合う１４本の主電極線８１Ｌの中で、以下の５本の主電極線８１Ｌが、２行目の副電極線対と３行目の副電極線対との間において、ドライブ非接続線８３として機能している。すなわち、第１配列方向Ｄ１における２番目の主電極線８１Ｌ、４番目の主電極線８１Ｌ、６番目の主電極線８１Ｌ、１０番目の主電極線８１Ｌ、および、１２番目の主電極線８１Ｌは、ドライブ非接続線８３として機能している。
【０２１０】
こうした主電極線８１Ｌにおけるドライブ非接続線８３の設定は、第２配列方向Ｄ２に沿って副電極線対の行ごとに繰り返されている。そして、図１２にて白抜き線が示すように、パッド３１Ｐに対して電気的に接続していないドライブ非接続線８３が、複数の主電極線８１Ｌから構成されている。そして、各ドライブ電極３１ＤＰにおいて、複数の主電極線８１Ｌのうち、複数のドライブ非接続線８３を除く部分と、複数の副電極線８２Ｌとによって、パッド３１Ｐに接続しているドライブ電極線が構成されている。
【０２１１】
図１５が示すように、１つのセンシング電極３３ＳＰは、第２配列方向Ｄ２に沿って間隔を空けて並ぶ複数のパッド３３Ｐのうちの１つを備えている。１つのセンシング電極３３ＳＰは、さらに、第２配列方向Ｄ２と上述した対向角度θ２を形成する第４延在方向に沿って延びる直線形状を有する複数の主電極線９１Ｌと、主電極線９１Ｌと直交する方向である第３延在方向に沿って延びる直線形状を有する複数の副電極線９２Ｌとを備えている。１つのセンシング電極３３ＳＰは、第１配列方向Ｄ１に沿って延びる第２帯状電極の一例である。複数のセンシング電極３３ＳＰの各々は、第２配列方向Ｄ２に沿って間隔を空けて並んでいる。
【０２１２】
第２配列方向Ｄ２に沿って相互に隣り合う主電極線９１Ｌは、第３延在方向に沿って第３間隔Ｓ３を空け、かつ、第４延在方向に沿って延びている。複数の主電極線９１Ｌのうち、２つの端のうちの一方がパッド３３Ｐに接続される１４本の主電極線９１Ｌの各々は、第４延在方向に沿ってパッド３１Ｐに向けて延びる途中で折れ曲がって、第１配列方向Ｄ１に沿ってパッド３３Ｐまで延びている。複数の副電極線９２Ｌのうち、第１配列方向Ｄ１に沿って相互に隣り合う２本の副電極線９２Ｌは、第１配列方向Ｄ１に沿って第４間隔Ｓ４を空けている。
【０２１３】
１つのセンシング電極３３ＳＰにおいて、第２配列方向Ｄ２に沿って並ぶ７つの副電極線８２Ｌは、１つの副電極線群を構成している。第１配列方向Ｄ１に沿って相互に隣り合う２つの副電極線群は、第１配列方向Ｄ１に沿って第４間隔Ｓ４を空けている。以下、１つのセンシング電極３３ＳＰにおいて、パッド３３Ｐに近い副電極線群から順番に、１行目の副電極線群、２行目の副電極線群、…、ｍ行目の副電極線群（ｍは３以上の整数）という。
【０２１４】
１つのセンシング電極３３ＳＰにおいて、１行目の副電極線群のうち、第２配列方向Ｄ２における下側の端に位置する副電極線９２Ｌ以外の６本の副電極線９２Ｌの各々は、第３延在方向に沿ってパッド３３Ｐに向けて延びる途中で折れ曲がって、第１配列方向Ｄ１に沿ってパッド３３Ｐまで延びている。１行目の副電極線群に含まれる副電極線９２Ｌのうち、上側の端に位置する副電極線９２Ｌ以外の６本の副電極線９２Ｌの各々は、第３延在方向に沿って延びる部分において、第２配列方向Ｄ２に沿って相互に隣り合う２本の主電極線９１Ｌに接続している。１行目の副電極線群に含まれる副電極線９２Ｌのうち、上側の端に位置する副電極線９２Ｌは、第２配列方向Ｄ２に沿って相互に隣り合う３本の主電極線９１Ｌに接続している。
【０２１５】
一方で、２行目以降の副電極線群に含まれる副電極線９２Ｌのうち、第２配列方向の下側の端に位置する副電極線９２Ｌと、上側の端に位置する副電極線９２Ｌと以外の副電極線９２Ｌは、第１配列方向Ｄ１において第２配列方向Ｄ２に沿って相互に隣り合う３本の主電極線９１Ｌと向かい合っている。これに対して、第２配列方向Ｄ２の上側の端に位置する副電極線９２Ｌは、第１配列方向Ｄ１において第２配列方向Ｄ２に沿って相互に隣り合う４本の主電極線９１Ｌと向かい合っている。第２配列方向Ｄ２の下側の端に位置する副電極線９２Ｌは、第１配列方向Ｄ１において第２配列方向Ｄ２に沿って相互に隣り合う２本の主電極線９１Ｌと向かい合っている。
【０２１６】
また、１つの副電極線群は、第１配列方向Ｄ１において第２配列方向Ｄ２に沿って相互に隣り合う１５本の主電極線９１Ｌと向かい合っている。１５本の主電極線９１Ｌの中では、４本の主電極線９１Ｌが、第１配列方向Ｄ１に沿って第４間隔Ｓ４以上の長さを有している。そして、ｊ行目の副電極線群とｊ＋１行目の副電極線群とは（ｊは１以上ｍ以下の整数）、第１配列方向Ｄ１に沿って第４間隔Ｓ４以上の長さを有する４本の主電極線９１Ｌによって接続している。
【０２１７】
例えば、１つのパッド３３Ｐには、第１配列方向Ｄ１において１５本の主電極線８１Ｌが向かい合っている。これら１５本の主電極線９１Ｌのうち、第２配列方向Ｄ２の上側の端に位置する１本の主電極線９１Ｌを除く部分では、第２配列方向Ｄ２に沿って相互に隣り合う２本の主電極線９１Ｌが、１つの副電極線９２Ｌによって電気的に接続されている。一方で、パッド３３Ｐに向かい合う１５本の主電極線９１Ｌの中で、第２配列方向Ｄ２における２番目の主電極線９１Ｌ、４番目の主電極線９１Ｌ、６番目の主電極線９１Ｌ、および、８番目の主電極線９１Ｌが、第１配列方向Ｄ１に沿って第４間隔Ｓ４以上の長さを有している。そして、１つのパッド３３Ｐに向かい合う１５本の主電極線９１Ｌの中で、第２配列方向Ｄ２における２番目の主電極線９１Ｌ、４番目の主電極線９１Ｌ、６番目の主電極線９１Ｌ、および、８番目の主電極線９１Ｌが、２行目の副電極線群に接続している。
【０２１８】
また、２行目の副電極線群には、第２配列方向Ｄ２において１５本の主電極線９１Ｌが向かい合い、これら１５本の主電極線９１Ｌの一部は、２行目の副電極線群によって電気的に接続されている。一方で、２行目の副電極線群に接続する複数の主電極線９１Ｌの中で、これもまた第２配列方向Ｄ２における２番目の主電極線９１Ｌ、４番目の主電極線９１Ｌ、６番目の主電極線９１Ｌ、および、８番目の主電極線９１Ｌが、３行目の副電極線群に向けて第４間隔Ｓ４以上の長さを有している。そして、第１配列方向Ｄ１において２行目の副電極線群に向かい合う１５本の主電極線９１Ｌの中で、第２配列方向Ｄ２における２番目の主電極線９１Ｌ、４番目の主電極線９１Ｌ、６番目の主電極線９１Ｌ、および、８番目の主電極線９１Ｌが、３行目の副電極線群に接続している。
【０２１９】
こうした主電極線９１Ｌの配置と、副電極線９２Ｌの配置とは、第１配列方向Ｄ１に沿って副電極線群の行ごとに繰り返されている。そして、図１３にてドットが示すように、パッド３３Ｐに電気的に接続する接続電極線の一例であるセンシング電極線が、複数の主電極線９１Ｌと複数の副電極線９２Ｌとから構成されている。
【０２２０】
１つのセンシング電極３３ＳＰを構成する複数の主電極線９１Ｌは、パッド３３Ｐに電気的に接続していない複数のセンシング非接続線９３を含んでいる。各センシング非接続線９３は、１つのセンシング電極３３ＳＰの中で、第１配列方向Ｄ１にて相互に隣り合う２つの副電極線群に挟まれている。
【０２２１】
複数のセンシング非接続線９３の一部は、２つの間隙部９４によって、副電極線群から離れ、パッド３３Ｐに対して電気的に接続していない。一方で、複数のセンシング非接続線９３の残りの部分において、２つの端のうちの一方は、１つの間隙部９４によって副電極線群から離れ、かつ、他方は、副電極線群から離れた位置に配置されている。各間隙部９４は、第１配列方向Ｄ１にて相互に隣り合う２つの副電極線群に挟まれる部分に位置している。間隙部９４は、第２間隙部の一例である。
【０２２２】
例えば、第１配列方向Ｄ１において１つのパッド３３Ｐに向かい合う１５本の主電極線９１Ｌの中で、以下の６本の主電極線９１Ｌが、１行目の副電極線対と２行目の副電極線対との間において、センシング非接続線９３として機能している。すなわち、第２配列方向Ｄ２における３番目の主電極線９１Ｌ、５番目の主電極線９１Ｌ、７番目の主電極線９１Ｌ、９番目の主電極線９１Ｌ、１１番目の主電極線９１Ｌ、および、１３番目の主電極線９１Ｌは、センシング非接続線９３として機能している。また、２行目の副電極線群に向かい合う１５本の主電極線８１Ｌの中で、以下の６本の主電極線８１Ｌが、２行目の副電極線対と３行目の副電極線対との間において、センシング非接続線９３として機能している。すなわち、第２配列方向Ｄ２における３番目の主電極線９１Ｌ、５番目の主電極線９１Ｌ、７番目の主電極線９１Ｌ、９番目の主電極線９１Ｌ、１１番目の主電極線９１Ｌ、および、１３番目の主電極線９１Ｌは、センシング非接続線９３として機能している。
【０２２３】
こうした主電極線９１Ｌにおけるセンシング非接続線９３の設定は、第１配列方向Ｄ１に沿って副電極線群の行ごとに繰り返されている。そして、図１３にて白抜き線が示すように、パッド３３Ｐに対して電気的に接続していないセンシング非接続線９３が、複数の主電極線９１Ｌから構成されている。そして、各センシング電極３３ＳＰにおいて、複数の主電極線９１Ｌのうち、複数のセンシング非接続線９３を除く部分と、複数の副電極線９２Ｌとによって、パッド３３Ｐに接続しているセンシング電極線が構成されている。
【０２２４】
図１６が示すように、複数のドライブ電極３１ＤＰと、複数のセンシング電極３３ＳＰとは、複数のドライブ電極３１ＤＰと、複数のセンシング電極３３ＳＰとが積層される方向であって、透明誘電体基板３３と対向する平面視方向から見て、格子形状を形成する。このとき、透明誘電体基板３３と対向する平面視方向から見て、１つのドライブ電極３１ＤＰを構成する複数の主電極線８１Ｌの各々が、各センシング電極３３ＳＰの備える複数の主電極線９１Ｌの一部と立体的に交差する。これにより、第１配列方向Ｄ１において相互に隣り合うドライブ電極３１ＤＰの間の各々、および、第２配列方向Ｄ２において相互に隣り合うセンシング電極３３ＳＰの間の各々を除く部分に、格子形状が形成される。
【０２２５】
これに対して、各ドライブ電極３１ＤＰでは、複数の副電極線８２Ｌの各々が、第２配列方向Ｄ２における相互に隣り合うセンシング電極３３ＳＰの間に位置する。そして、複数の副電極線８２Ｌの各々が、複数のセンシング電極３３ＳＰの中で、第４延在方向に沿って隣り合う主電極線９１Ｌの間を埋める。結果として、第２配列方向Ｄ２において相互に隣り合うセンシング電極３３ＳＰの間の各々に、格子形状が形成される。
【０２２６】
一方、１つのセンシング電極３３ＳＰを構成する複数の副電極線９２Ｌの各々が、第１配列方向Ｄ１における相互に隣り合うドライブ電極３１ＤＰの間に位置する。そして、複数の副電極線９２Ｌの各々が、複数のドライブ電極３１ＤＰの中で、第３延在方向に沿って隣り合う主電極線８１Ｌの間を埋める。結果として、第１配列方向Ｄ１において相互に隣り合うドライブ電極３１ＤＰの間の各々に、格子形状が形成される。
【０２２７】
タッチセンサ用電極２１には、複数のセル２１Ｃが設定されている。各セル２１Ｃは、透明誘電体基板３３と対向する平面視において、１つのドライブ電極３１ＤＰと、１つのセンシング電極３３ＳＰとが、立体的に交差している領域である。そのため、複数のドライブ電極３１ＤＰの各々において、複数のセル２１Ｃは、ドライブ電極３１ＤＰの並ぶ第１配列方向Ｄ１と直交する第２配列方向Ｄ２に沿って並ぶ。これに対して、複数のセンシング電極３３ＳＰの各々において、複数のセル２１Ｃは、センシング電極３３ＳＰの並ぶ第２配列方向Ｄ２と直交する第１配列方向Ｄ１に沿って並ぶ。各セル２１Ｃは、表示面１０Ｓの内部に位置している。
【０２２８】
ドライブ電極３１ＤＰごとにパッド３１Ｐに最も近接するセル２１Ｃが、最近接セル２１Ｃｄである。各ドライブ電極３１ＤＰを構成する主電極線８１Ｌの群は、パッド３１Ｐに接続しないドライブ非接続線８３をセル２１Ｃごとに含む。
【０２２９】
各ドライブ電極３１ＤＰにおいて、複数の間隙部８４のうち、パッド３１Ｐに最も近いパッド間隙部８４ａは、最近接セル２１Ｃｄとパッド３１Ｐとの間に位置している。そして、間隙部８４のうち、パッド間隙部８４ａ以外の間隙部８４であって、第２配列方向Ｄ２において各副電極線８２Ｌに対してパッド３１Ｐとは反対側に位置する間隙部８４の各々は、第２配列方向Ｄ２において相互に隣り合う２つのセル２１Ｃの間に位置している。一方で、間隙部８４のうち、パッド間隙部８４ａ以外の間隙部８４であって、第２配列方向Ｄ２において各副電極線８２Ｌに対してパッド３１Ｐ側に位置する間隙部８４の各々は、セル２１Ｃの内部に位置している。
【０２３０】
一方で、センシング電極３３ＳＰごとにパッド３３Ｐに最も近いセル２１Ｃが、最近接セル２１Ｃｓである。各センシング電極３３ＳＰを構成する主電極線９１Ｌの群は、パッド３３Ｐに接続しないセンシング非接続線９３をセル２１Ｃごとに含む。
【０２３１】
各センシング電極３３ＳＰにおいて、複数の間隙部９４のうち、パッド３３Ｐに最も近いパッド間隙部９４ａは、最近接セル２１Ｃｓとパッド３３Ｐとの間に位置している。そして、間隙部９４のうち、パッド間隙部９４ａ以外の間隙部９４であって、第１配列方向Ｄ１において各副電極線９２Ｌに対してパッド３３Ｐとは反対側に位置する間隙部９４の各々は、第１配列方向において相互に隣り合う２つのセル２１Ｃの間に位置している。一方で、間隙部９４のうち、パッド間隙部９４ａ以外の間隙部９４であって、第１配列方向Ｄ１において各副電極線９２Ｌに対してパッド３３Ｐ側に位置する間隙部９４の各々は、セル２１Ｃの内部に位置している。
【０２３２】
こうした構成によれば、第２実施形態と同等の効果を得ることができる。
［他の変形例］
上述した第２実施形態、第３変形例、および、第４変形例の各々は、さらに、以下のように適宜変更して実施することもできる。
【０２３３】
・第２実施形態において、各ドライブ電極３１ＤＰにおける複数のパッド間隙部６４ａのうち、最近接セル２１Ｃｄの内部に位置するパッド間隙部６４ａの各々は、パッド３１Ｐと最近接セル２１Ｃｄとの間に位置してもよい。
【０２３４】
・第２実施形態において、各ドライブ電極３１ＤＰにおけるパッド間隙部６４ａのうち、セル２１Ｃとパッド３１Ｐとの間に位置するパッド間隙部６４ａの各々は、最近接セル２１Ｃｄの内部に位置してもよい。
【０２３５】
・第２実施形態において、各ドライブ電極３１ＤＰにおけるパッド間隙部６４ａ以外の複数の間隙部６４の各々のうち、セル２１Ｃの内部に位置する間隙部６４は、セル２１Ｃの外部に位置してもよい。
【０２３６】
・第２実施形態において、各ドライブ電極３１ＤＰにおけるパッド間隙部６４ａ以外の複数の間隙部６４のうち、第２配列方向Ｄ２にて相互に隣り合うセル２１Ｃの間に位置する複数の間隙部６４の各々は、セル２１Ｃの内部に位置してもよい。
【０２３７】
・第２実施形態において、各センシング電極３３ＳＰにおける複数のパッド間隙部７４ａの各々は、パッド３３Ｐと最近接セル２１Ｃｓとの間に位置してもよい。
・第２実施形態において、各センシング電極３３ＳＰにおけるパッド間隙部７４ａ以外の複数の間隙部７４の各々は、第１配列方向Ｄ１において相互に隣り合う２つのセル２１Ｃの間に位置してもよい。
【０２３８】
・第２実施形態において、各ドライブ電極３１ＤＰが第１配列方向Ｄ１における２番目の主電極線６１Ｌで構成されるドライブ非接続線６３のみを備え、かつ、各センシング電極３３ＳＰが第２配列方向Ｄ２の端に位置する主電極線７１Ｌで構成されるセンシング非接続線７３のみを備える構成でもよい。あるいは、各ドライブ電極３１ＤＰが第１配列方向Ｄ１における３番目の主電極線６１Ｌで構成されるドライブ非接続線６３のみを備え、かつ、各センシング電極３３ＳＰが第２配列方向Ｄ２の端に位置する主電極線７１Ｌで構成されるセンシング非接続線７３のみを備える構成でもよい。
【０２３９】
あるいは、各ドライブ電極３１ＤＰが第１配列方向Ｄ１における３番目の主電極線６１Ｌで構成されるドライブ非接続線６３のみを備え、かつ、各センシング電極３３ＳＰが第２配列方向Ｄ２における２番目の主電極線７１Ｌで構成されるセンシング非接続線７３のみを備える構成でもよい。あるいは、各ドライブ電極３１ＤＰが第１配列方向Ｄ１における３番目の主電極線６１Ｌで構成されるドライブ非接続線６３のみを備え、かつ、各センシング電極３３ＳＰが第２配列方向Ｄ２における２番目の主電極線７１Ｌで構成されるセンシング非接続線７３のみを備える構成でもよい。
【０２４０】
・第２実施形態において、各ドライブ電極３１ＤＰ、および、各センシング電極３３ＳＰの一方のみが非接続線を備える構成でもよい。各ドライブ電極３１ＤＰのみが非接続線を備える構成であれば、各ドライブ電極３１ＤＰは、１つのセル２１Ｃに含まれる２本のドライブ非接続線６３のうちの少なくとも一方を備えていればよい。また、各センシング電極３３ＳＰのみが非接続線を備える構成であれば、各センシング電極３３ＳＰは、１つのセル２１Ｃに含まれる２本のセンシング非接続線７３のうちの少なくとも一方を備えていればよい。
【０２４１】
・第３変形例において、各センシング電極３３ＳＰは、非接続線として第２配列方向Ｄ２における２番目の主電極線７１Ｌによって構成されるセンシング非接続線７３ではなく、第２配列方向Ｄ２における１番目の主電極線７１Ｌによって構成されるセンシング非接続線７３を備える構成であってもよい。
【０２４２】
・第３変形例において、各ドライブ電極３１ＤＰが、第１配列方向Ｄ１における１番目の主電極線６１Ｌで構成されるドライブ非接続線６３、および、２番目の主電極線６１Ｌで構成されるドライブ非接続線６３のいずれか一方を備える構成でもよい。この場合には、各センシング電極３３ＳＰが、第２実施形態における各センシング電極３３ＳＰと同じ構成であればよい。
【０２４３】
・第３変形例において、複数の間隙部６４の位置、および、複数の間隙部７４の位置は、上述した第２実施形態の変形例のように、第３変形例とは異なる位置とすることが可能である。
【０２４４】
・第４変形例において、各ドライブ電極３１ＤＰにおける複数のパッド間隙部８４ａの各々は、最近接セル２１Ｃｄの内部に位置してもよい。
・第４変形例において、各センシング電極３３ＳＰにおける複数のパッド間隙部９４ａの各々は、最近接セル２１Ｃｓの内部に位置してもよい。
【０２４５】
・第４変形例において、各ドライブ電極３１ＤＰにおける第２配列方向Ｄ２にて相互に隣り合うセル２１Ｃの間に位置する複数の間隙部８４の各々は、各間隙部８４に対してパッド３１Ｐとは反対側に位置するセル２１Ｃの内部に位置してもよい。
【０２４６】
・第４変形例において、各センシング電極３３ＳＰにおける第１配列方向Ｄ１にて相互に隣り合うセル２１Ｃの間に位置する複数の間隙部９４の各々は、各間隙部９４に対してパッド３３Ｐとは反対側に位置するセル２１Ｃの内部に位置してもよい。
【０２４７】
・第４変形例において、各ドライブ電極３１ＤＰ、および、各センシング電極３３ＳＰは、少なくとも１本の非接続線を有していればよい。
・第４変形例において、各ドライブ電極３１ＤＰ、および、各センシング電極３３ＳＰの一方のみが、非接続線を備える構成でもよい。
【０２４８】
・第２実施形態、および、第３変形例において、ドライブ電極３１ＤＰにおける対向角度θ１と、センシング電極３３ＳＰにおける対向角度θ１とは、相互に異なる角度であってもよい。また、第４変形例において、ドライブ電極３１ＤＰにおける対向角度θ２と、センシング電極３３ＳＰにおける対向角度θ２とは、相互に異なる角度であってもよい。
【０２４９】
・図１７が示すように、タッチパネル２０を構成するタッチセンサ用電極２１において、透明基板３１および透明接着層３２が割愛されてもよい。こうした構成では、透明誘電体基板３３の面の中で、表示パネル１０と対向する１つの面がドライブ面３１Ｓとして設定され、ドライブ面３１Ｓには、ドライブ電極３１ＤＰが位置すればよい。そして、透明誘電体基板３３における、ドライブ面３１Ｓと対向する面に、センシング電極３３ＳＰが位置すればよい。
【０２５０】
なお、こうした構成では、ドライブ電極３１ＤＰを構成するパッド３１Ｐや電極線３１Ｌは、例えば、ドライブ面３１Ｓに形成される１つの薄膜のパターニングによって形成される。
【０２５１】
こうした構成によれば、以下に記載の効果を得ることができる。
（８）複数のドライブ電極３１ＤＰと、複数のセンシング電極３３ＳＰとの間に、透明誘電体基板３３が位置するため、各セル２１Ｃにおける静電容量の初期値は、透明誘電体基板３３によって影響される。それゆえに、各セル２１Ｃにおける静電容量の初期値は、複数のドライブ電極３１ＤＰと複数のセンシング電極３３ＳＰとの間に複数の基材が位置する構成とは、異なる値になる。結果として、各セル２１Ｃにおける静電容量の初期値は、周辺回路における所定の仕様に対して適した値になる。
【０２５２】
・図１８が示すように、タッチパネル２０では、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０２５３】
なお、こうした構成では、例えば、ドライブ電極３１ＤＰを構成するパッド３１Ｐや電極線３１Ｌが、透明基板３１の１つの面であるドライブ面３１Ｓに形成され、センシング電極３３ＳＰを構成するパッド３３Ｐや電極線３３Ｌが、透明誘電体基板３３の１つの面であるセンシング面３３Ｓに形成される。そして、透明基板３１においてドライブ面３１Ｓと対向する面と、透明誘電体基板３３においてセンシング面３３Ｓと対応する面とが、透明接着層３２によって接着される。
【０２５４】
こうした構成によれば、以下に記載の効果を得ることができる。
（９）複数のドライブ電極３１ＤＰと、複数のセンシング電極３３ＳＰとの間に、透明基板３１と透明誘電体基板３３とが位置するため、各セル２１Ｃにおける静電容量の初期値は、２枚の基材によって影響される。それゆえに、各セル２１Ｃにおける静電容量の初期値は、複数のドライブ電極３１ＤＰと複数のセンシング電極３３ＳＰとの間に１枚の基材が位置する構成とは、異なる値になる。結果として、各セル２１Ｃにおける静電容量の初期値は、周辺回路における所定の仕様に適した値になる。
【０２５５】
・タッチパネル２０と表示パネル１０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、タッチセンサ用電極２１がカラーフィルタ基板１６と上側偏光板１７との間に位置するオンセル型の構成でもよい。
【符号の説明】
【０２５６】
１０…表示パネル、１０Ｓ…表示面、１１…下側偏光板、１２…薄膜トランジスタ（ＴＦＴ）基板、１３…ＴＦＴ層、１４…液晶層、１５…カラーフィルタ層、１６…カラーフィルタ基板、１７…上側偏光板、２０…タッチパネル、２０Ｓ…操作面、２１…タッチセンサ用電極、２１Ｃ…セル、２１Ｃｄ，２１Ｃｓ…最近接セル、２２…カバー層、２３，３２…透明接着層、３１…透明基板、３１Ｌ，３３Ｌ…電極線、３１Ｐ，３３Ｐ…パッド、３１Ｓ…ドライブ面、３１ＤＰ，３１ＤＰ１，３１ＤＰ２，３１ＤＰ（ｎ−１）、３１ＤＰｎ…ドライブ電極、３３…透明誘電体基板、３３Ｓ…センシング面、３３ＳＰ，３３ＳＰ１，３３ＳＰ２，３３ＳＰ（ｎ−１），３ＳＰｎ…センシング電極、３４…選択回路、３５…検出回路、３６…制御部、４１…ドライブ電極線、４２，６３，８３…ドライブ非接続線、４２ａ…ドライブ非接続片、４３，４４，５３，６４ａ，７４ａ，８４ａ，９４ａ…パッド間隙部、４５，５４…電極線間隙部、５１…センシング電極線、５２，７３，９３…センシング非接続線、５２ａ…センシング非接続片、６１Ｌ，７１Ｌ，８１Ｌ，９１Ｌ…主電極線、６２Ｌ，７２Ｌ，８２Ｌ，９２Ｌ…副電極線、６４，７４，８４，９４…間隙部。
【図１】
2015191406.tif 000003
【図２】
2015191406.tif 000004
【図３】
2015191406.tif 000005
【図４】
2015191406.tif 000006
【図５】
2015191406.tif 000007
【図６】
2015191406.tif 000008
【図７】
2015191406.tif 000009
【図８】
2015191406.tif 000010
【図９】
2015191406.tif 000011
【図１０】
2015191406.tif 000012
【図１１】
2015191406.tif 000013
【図１２】
2015191406.tif 000014
【図１３】
2015191406.tif 000015
【図１４】
2015191406.tif 000016
【図１５】
2015191406.tif 000017
【図１６】
2015191406.tif 000018
【図１７】
2015191406.tif 000019
【図１８】
2015191406.tif 000020